(57)【要約】ヒトの眼にインプラントされるように構成されたレンズにおいて、透明材料を含む光学部を包含する。光学部は前面と後面とを有する。前面と後面とそれぞれは表面頂点を有することができる。光学部は表面頂点を通過する光軸を有することができる。レンズはインプラントされたときに光学部を眼に付けるために光学部に配置された少なくとも１つのハプティックも含む。前面と後面とは非球面を含むことができる。後面は、光軸からの半径距離の非球面高次関数を含む摂動によってオフセットされた双円錐を含む非球面形状を有することができる。後面は、０〜１００である比率Ｒｘ／Ｒｙの絶対値と、０〜１００である比率ｋｘ／ｋｙの絶対値とを有することができる。【選択図】図２
2019507663.tif 000002
【特許請求の範囲】
【請求項１】
ヒトの眼にインプラントされるように構成されたレンズであって、該レンズは、
透明材料を含むとともに、それぞれが表面頂点を有する前面及び後面と、前記表面頂点を通過する光軸とを有する光学部と、
インプラントされたときに前記光学部を前記眼に付けるために前記光学部に配置された少なくとも１つのハプティックと、を含み、
前記前面と前記後面とは非球面を含み、前記後面は、前記光軸からの半径距離の非球面高次関数を含む摂動によってオフセットされた双円錐を含む非球面形状を有するとともに、０〜１００である比率Ｒｘ／Ｒｙの絶対値と、０〜１００である比率ｋｘ／ｋｙの絶対値とを有する、レンズ。
【請求項２】
前記比率Ｒｘ／Ｒｙの絶対値は０〜７５である、請求項１に記載のレンズ。
【請求項３】
前記比率Ｒｘ／Ｒｙの絶対値は０〜５０である、請求項２に記載のレンズ。
【請求項４】
前記比率Ｒｘ／Ｒｙの絶対値は０〜２５である、請求項３に記載のレンズ。
【請求項５】
前記比率Ｒｘ／Ｒｙの絶対値は０〜１０である、請求項４に記載のレンズ。
【請求項６】
前記比率Ｒｘ／Ｒｙの絶対値は０.１〜１０である、請求項５に記載のレンズ。
【請求項７】
前記比率Ｒｘ／Ｒｙの絶対値は０.２〜１０である、請求項６に記載のレンズ。
【請求項８】
前記比率Ｒｘ／Ｒｙの絶対値は０.２５〜１０である、請求項７に記載のレンズ。
【請求項９】
前記比率Ｒｘ／Ｒｙの絶対値は０.５〜１０である、請求項８に記載のレンズ。
【請求項１０】
前記比率ｋｘ／ｋｙの絶対値は０〜７５である、請求項１〜９のいずれかに記載のレンズ。
【請求項１１】
前記比率ｋｘ／ｋｙの絶対値は０〜５０である、請求項１０に記載のレンズ。
【請求項１２】
前記比率ｋｘ／ｋｙの絶対値は０〜２５である、請求項１１に記載のレンズ。
【請求項１３】
前記比率ｋｘ／ｋｙの絶対値は０〜１０である、請求項１２に記載のレンズ。
【請求項１４】
前記比率ｋｘ／ｋｙの絶対値は０.１〜１０である、請求項１３に記載のレンズ。
【請求項１５】
前記比率ｋｘ／ｋｙの絶対値は０.２〜１０である、請求項１４に記載のレンズ。
【請求項１６】
前記比率ｋｘ／ｋｙの絶対値は０.２５〜１０である、請求項１５に記載のレンズ。
【請求項１７】
前記比率ｋｘ／ｋｙの絶対値は０.５〜１０である、請求項１６に記載のレンズ。
【請求項１８】
前記光学部は射出瞳を含み、
前記前面と前記後面とは、０ジオプトリ〜２．５ジオプトリ（Ｄ）の物体のバージェンスについて、前記光学部の前記射出瞳の波面にΦ（ｒ）＝ａ＋ｂｒ２＋ｃｒ４＋ｄｒ６＋ｅｒ８によって表される放射パワー（ｒａｄｉａｌ  ｐｏｗｅｒ）プロファイルを提供するように成形され、ｒは前記光軸からの前記半径距離であり、ａ、ｂ、ｃ、ｄ、及びｅは係数である、請求項１〜１７のいずれかに記載のレンズ。
【請求項１９】
前記光軸に沿う厚みは約１００マイクロメートル〜７００マイクロメートルである、請求項１〜１８のいずれかに記載のレンズ。
【請求項２０】
前記光学部がメニスカス形状であるように、前記前面は凸状であり、前記後面は凹状である、請求項１〜１９のいずれかに記載のレンズ。
【請求項２１】
前記前面は、０ｍｍ〜１ｍｍの曲率半径を有する、請求項１〜２０のいずれかに記載のレンズ。
【請求項２２】
前記前面は、１×１０−６ｍｍ〜１×１０−３ｍｍの曲率半径を有する、請求項２１に記載のレンズ。
【請求項２３】
前記前面は、５×１０−６ｍｍ〜５×１０−４ｍｍの曲率半径を有する、請求項２２に記載のレンズ。
【請求項２４】
前記前面は、−１×１０６〜−１００の円錐定数を有する、請求項１〜２３のいずれかに記載のレンズ。
【請求項２５】
前記前面は、−３×１０５〜−２×１０５の円錐定数を有する、請求項２４に記載のレンズ。
【請求項２６】
前記後面は、０ｍｍ〜２０ｍｍの曲率半径Ｒｙを有する、請求項１〜２５のいずれかに記載のレンズ。
【請求項２７】
前記後面は、０ｍｍ〜２０ｍｍの曲率半径Ｒｘを有する、請求項１〜２６のいずれかに記載のレンズ。
【請求項２８】
前記後面は、−２０〜２０の円錐定数Ｋｙを有する、請求項１〜２７のいずれかに記載のレンズ。
【請求項２９】
前記後面は、−２５〜０の円錐定数Ｋｘを有する、請求項１〜２８のいずれかに記載のレンズ。
【発明の詳細な説明】
【技術分野】
【０００１】
［優先出願の言及による援用］
本願は、２０１６年３月９日出願の米国仮特許出願第６２／３０６００３号、及び２０１６年３月９日出願の米国仮特許出願第６２／３０６０３４号の優先権を主張する。各優先出願の開示全体が言及によって本願明細書に明示的に援用される。
【０００２】
［技術分野］
本開示は眼科インプラントに関し、例えば被写界深度延長を伴う眼科インプラントに関する。
【背景技術】
【０００３】
図１はヒトの眼の概略図である。図１に示されるように、ヒトの眼１００は、角膜１１０、虹彩１１５、天然水晶体１２０、及び網膜１３０を含む。光は角膜１１０を介して眼１００に入り、虹彩１１５中心の開口部である瞳孔に向かう。虹彩１１５と瞳孔とは眼１００に入る光量の調節を補助する。明所での照明条件では、虹彩１１５は瞳孔を閉じてより少ない光を取り入れ、暗所での照明条件では、虹彩１１５は瞳孔を開いてより多くの光を取り入れる。虹彩１１５の後部は天然水晶体１２０である。角膜１１０と水晶体１２０とは網膜１３０に向かって光を屈折し焦点を合わせる。視力２０／２０の眼１００では、水晶体１２０は、眼の後部へと網膜１３０に光を集める。網膜１３０は光を感知して、視神経１４０を介して脳へと送られる電気インパルスを生成する。眼が適切に光を集めない場合には、矯正及び／又は人工レンズが用いられてきた。
【発明の概要】
【０００４】
本明細書に記載の所定の実施形態は、ヒトの眼にインプラントされるように構成されたレンズを含む。レンズは透明材料を含む光学部（ｏｐｔｉｃ）を含むことができる。また、レンズは、インプラントされたときに光学部を眼に付けるために光学部のまわりに配置されたハプティック（ｈａｐｔｉｃ）部も含むことができる。光学部は前面と後面とを含むことができる。光学部がメニスカス形状であるように、前面は凸状であり得、後面は凹状であり得る。凸状前面と凹状後面とのそれぞれには表面頂点があり得る。光学部は表面頂点を通過する光軸を有することができる。種々の実施形態において、光軸に沿った厚みは約１００〜約７００マイクロメートル（又はこの範囲の任意の値により構成される任意の範囲）であり得る。さらに、前面と後面とは非球面を含むことができる。
【０００５】
本明細書に記載の所定の実施形態は、ヒトの眼にインプラントされるように構成されたレンズを含む。レンズは透明材料を含む光学部を含むことができる。また、レンズは、インプラントされたときに光学部を眼に付けるために光学部に対して配置された少なくとも１つのハプティックも含むことができる。光学部は前面と後面とを含むことができる。光学部がメニスカス形状であるように、前面は凸状であり得、後面は凹状であり得る。凸状前面と凹状後面とのそれぞれには表面頂点があり得る。光学部は表面頂点を通過する光軸を有することができる。種々の実施形態において、前面と後面とは非球面を含むことができる。前面は、光軸からの半径距離の非球面高次関数を含む摂動でオフセットされた円錐又は双円錐を含む非球面形状を有することができる。
【０００６】
そうしたいくつかの実施形態において、非球面高次関数は、少なくとも１つの偶数次項ａ２ｎｒ２ｎを含むことができ、ｎは整数、ａ２ｎは係数、ｒは光軸からの半径距離である。例として、非球面高次関数は２次項ａ２ｒ２を含むことができ、ａ２は係数、ｒは光軸からの半径距離である。他の例として、非球面高次関数は４次項ａ４ｒ４を含むことができ、ａ４は係数、ｒは光軸からの半径距離である。また非球面高次関数は６次項ａ６ｒ６を含むことができ、ａ６は係数、ｒは光軸からの半径距離である。さらに、非球面高次関数は８次項ａ８ｒ８を含むことができ、ａ８は係数、ｒは光軸からの半径距離である。レンズのいくつかの実施形態では、光学部は、光軸に沿って約１００〜約７００ミクロン（又はこの範囲の任意の値により構成される任意の範囲）の厚みを有ることができる。種々の実施形態において、前面は摂動でオフセットされた双円錐を含む非球面形状を有する。
【０００７】
本明細書に記載の所定の実施形態は、ヒトの眼にインプラントされるように構成されたレンズを含む。レンズは透明材料を含む光学部を含むことができる。また、レンズは、インプラントされたときに眼における光学部に対して配置された少なくとも１つのハプティックをも含むことができる。光学部には前面と後面とを含むことができる。光学部がメニスカス形状であるように、前面は凸状であり得、後面は凹状であり得る。凸状前面と凹状後面とのそれぞれには表面頂点があり得る。光学部は表面頂点を通過する光軸を有することができる。種々の実施形態において、前面と後面とは非球面を含むことができる。後面は、光軸からの半径距離の非球面高次関数を含む摂動によりオフセットされた円錐又は双円錐を含む非球面形状を有することができる。種々の実施形態において、後面は摂動でオフセットされた双円錐を含む非球面形状を有する。
【０００８】
本明細書に記載の所定の実施形態は、ヒトの眼にインプラントされるように構成されたレンズを含む。レンズは透明材料を含む光学部を含むことができる。光学部には前面と後面とを含むことができる。前面は非球面を含むことができる。光学部が、２〜６ミリメートル、３〜６ミリメートル、又は４〜６ミリメートルの開口サイズ（例として、開口サイズは２ｍｍ、３ｍｍ、４ｍｍ、６ｍｍ、これらの範囲内の任意の値、又はそうした値により構成される任意の範囲であり得る）を有するヒトの眼に挿入されるときに、前面と後面とが、０〜２．５ジオプトリ（Ｄ）の範囲内の、少なくとも９０％の物体のバージェンスに、１００本／ミリメートルで、０．１〜０．４の平均変調伝達関数（ｍｏｄｕｌａｔｉｏｎ  ｔｒａｎｓｆｅｒ  ｆｕｎｃｔｉｏｎ、ＭＴＦ）値を与えるように成形されることができる。平均ＭＴＦ値は、軸上物体について明所視の視感度関数によって重み付けされた約４００〜約７００ｎｍの波長に積分された１００本／ミリメートルでのＭＴＦ値を含み得る。
【０００９】
種々の実施形態において、ヒトの眼は水晶体を含み、水晶体の前方に光学部が挿入されるときに平均変調伝達関数値が与えられる。他の種々の実施形態において、ヒトの眼は水晶体を含まず、水晶体に代えて光学部が挿入されるときに変調伝達関数値が与えられる。レンズはハプティック部をさらに含むことができる。さらに、光学部は光軸を有し得、光軸を通過する厚みは約１００〜約７００ミクロン（又はこの範囲の任意の値により構成される任意の範囲）であり得る。
【００１０】
本明細書に記載の所定の実施形態は、ヒトの眼にインプラントされるように構成されたレンズを含む。レンズは透明材料を含む光学部を含むことができる。光学部には前面と後面とがあり得る。前面は非球面を含むことができる。光学部が、２〜６ミリメートル、３〜６ミリメートル、又は４〜６ミリメートルの開口サイズ（例として、開口サイズは２ｍｍ、３ｍｍ、４ｍｍ、６ｍｍ、これらの範囲内の任意の値、又はそうした値により構成される任意の範囲であり得る）を有する模型眼に挿入されるときに、また前面と後面とが、０〜２．５ジオプトリ（Ｄ）の範囲内の、少なくとも９０％の物体のバージェンスに、１００本／ミリメートルで、０．１〜０．４の平均変調伝達関数（ＭＴＦ）値を与えるように成形されることができる。平均ＭＴＦ値は、軸上物体について明所視の視感度関数によって重み付けされた約４００〜約７００ｎｍの波長に積分された１００本／ミリメートルでのＭＴＦ値を含むことができる。
【００１１】
模型眼はＬｉｏｕ−Ｂｒｅｎｎａｎ模型眼を含むことができる。あるいは、模型眼はＢａｄａｌ模型眼を含むことができる。さらに模型眼はアリゾナ模型眼又はインディアナ模型眼を含むことができる。その他の規格化模型眼又は同等の模型眼が用いられてもよい。
【００１２】
いくつかの実施形態において、有水晶体構造の模型眼に光学部が挿入されるとき、変調伝達関数値を与えることができる。他のいくつかの実施形態において、無水晶体構造の模型眼に光学部が挿入されるとき、変調伝達関数値を与えることができる。レンズはハプティック部をさらに含むことができる。さらに、光学部は光軸を有し、約１００〜約７００ミクロン（又はこの範囲の任意の値により構成される任意の範囲）である、光軸における厚みを有することができる。
【００１３】
本明細書に記載の所定の実施形態は、ヒトの眼にインプラントされるように構成されたレンズを含む。レンズは透明材料を含む光学部を含むことができる。光学部には前面と後面と射出瞳とがあり得る。前面は非球面を含むことができる。前面と後面とは、０〜２．５ジオプトリ（Ｄ）の物体のバージェンスについて、光学部の射出瞳の波面にΦ（ｒ）＝ａ＋ｂｒ２＋ｃｒ４＋ｄｒ６＋ｅｒ８によって表される放射パワー（ｒａｄｉａｌ  ｐｏｗｅｒ）プロファイルを提供するように成形されることができ、ｒは、前面と後面との表面頂点を通過して延びる光軸からの半径距離であり、ａ、ｂ、ｃ、ｄ、及びｅは係数である。
【００１４】
本明細書に記載の所定の実施形態は、ヒトの眼にインプラントされるように構成されたレンズを含む。レンズは透明材料を含む光学部を含むことができる。またレンズは、インプラントされたときに光学部を眼に付けるために光学部に対して配置された少なくとも１つのハプティックも含むことができる。光学部は前面と後面とを含むことができる。前面及び後面のそれぞれは表面頂点を有することができる。光学部には表面頂点を通過する光軸があり得る。光軸に沿った厚みは約１００〜約４００マイクロメートル（又はこの範囲の任意の値により構成される任意の範囲）であり得る。さらに、前面及び後面の少なくとも１つは非球面を含むことができる。いくつかの実施形態において前面は凸状であり得る。さらに後面は凹状であり得る。
【００１５】
本明細書に記載の所定の実施形態は、ヒトの眼にインプラントされるように構成されたレンズを含む。レンズは透明材料を含む光学部を包むことができる。またレンズは、インプラントされたときに光学部を眼に付けるために光学部に対して配置された少なくとも１つのハプティックも含むことができる。光学部は前面と後面とを含むことができる。前面及び後面のそれぞれは表面頂点を有することができる。光学部には表面頂点を通過する光軸があり得る。前面及び後面の少なくとも１つは、光軸からの半径距離の非球面高次関数を含む摂動を含む非球面を含むことができ、それら表面の少なくとも１つは、双円錐を含む非球面形状を有することができる。いくつかの実施形態において前面は凸状であり得る。さらに後面は凹状であり得る。
【００１６】
本明細書に記載の所定の実施形態は、ヒトの眼にインプラントされるように構成されたレンズを含む。レンズは透明材料を含む光学部を含むことができる。またレンズは、インプラントされたときに光学部を眼に付けるために光学部のまわりに配置されたハプティック部も含むことができる。光学部は前面と後面とを含むことができる。前面及び後面のそれぞれは表面頂点を有することができる。光学部には表面頂点を通過する光軸があり得る。光軸に沿う厚みは約１００〜約７００マイクロメートル（又はこの範囲の任意の値により構成される任意の範囲）であり得る。さらに、前面と後面とは非球面を含むことができる。
【００１７】
本明細書に記載の所定の実施形態は、ヒトの眼にインプラントされるように構成されたレンズを含む。レンズは透明材料を含む光学部を包むことができる。またレンズは、インプラントされたときに光学部を眼に付けるために光学部に対して配置された少なくとも１つのハプティックも含むことができる。光学部は前面と後面とを含むことができる。前面及び後面のそれぞれは表面頂点を有することができる。光学部には表面頂点を通過する光軸があり得る。前面及び後面の少なくとも１つは、光軸からの半径距離の非球面高次関数を含む摂動でオフセットされた円錐又は双円錐を含む非球面を有することができる。
【００１８】
透明材料を含む、本明細書に記載のレンズの種々の実施形態において、透明材料はコラマー（Ｃｏｌｌａｍｅｒ）を含むことができる。透明材料はシリコン、アクリル、又はヒドロゲルを含むことができる。透明材料は疎水性材料又は親水性材料を含むことができる。
【００１９】
本明細書に記載のレンズの種々の実施形態において、前面は回転対称であり得る。前面は円錐又は双円錐項を含む形状を有することができる。前面は、円錐又は双円錐項と、非球面高次摂動項とを含む形状を有することができる。レンズのいくつかの実施形態において、後面は円錐又は双円錐項を含む形状を有することができる。円錐又は双円錐項は０より大きい円錐定数を有することができる。例として、円錐又は双円錐項は少なくとも１の大きさの円錐定数を有することができる。他の例として、円錐又は双円錐項は少なくとも１０の大きさの円錐定数を有することができる。
【００２０】
本明細書に記載のレンズの種々の実施形態において、後面は回転非対称であり得る。後面は、光学部の光軸を通過する異なる方向に異なる曲率を有することができる。例として、後面は、光学部の光軸の直交方向に異なる曲率を有することができる。後面形状は双円錐項を含むことができる。双円錐項は０より大きい円錐定数を有することができる。例として、双円錐項は少なくとも１の大きさの円錐定数を有することができる。他の例として、円錐又は双円錐項は少なくとも１０の大きさの円錐定数を有することができる。本明細書に記載のレンズの種々の実施形態において、光学部は、１００〜４００マイクロメートルの、光軸に沿った厚みを有することができる。例として、光軸に沿った厚みは、１００〜３００マイクロメートル、１００〜２００マイクロメートル、２００〜３００マイクロメートル、３００〜４００マイクロメートル、又はこれらの範囲の任意の値により構成される任意の範囲であり得る。
【００２１】
本明細書に記載のレンズの種々の実施形態において、２〜６ミリメートル、３〜６ミリメートル、又は４〜６ミリメートルの開口サイズ（例として、開口サイズは２ｍｍ、３ｍｍ、４ｍｍ、６ｍｍ、これらの範囲内の任意の値、又はそうした値により構成される任意の範囲であり得る）を有する模型眼に光学部が挿入されるとき、レンズの前面と後面とは、０〜２．５ジオプトリ（Ｄ）の範囲内の、少なくとも９０％の物体のバージェンスに、１００本／ミリメートルで、０．１〜０．４の平均変調伝達関数（ＭＴＦ）値を与えるように成形されることができる。平均ＭＴＦ値は、軸物体について明所視の視感度関数によって重み付けされた約４００〜約７００ｎｍの波長に積分された１００本／ミリメートルでのＭＴＦ値を含み得る。模型眼には、Ｌｉｏｕ−Ｂｒｅｎｎａｎ模型眼、Ｂａｄａｌ模型眼、アリゾナ模型眼、インディアナ模型眼、又は任意の規格化模型眼若しくは同等の模型眼を含むことができる。
【００２２】
いくつかのそうした実施形態において、レンズの前面と後面とは、０〜２．５ジオプトリ（Ｄ）の範囲内の少なくとも９５％又は９８％の物体のバージェンスに、１００本／ミリメートルで０．１〜０．４の平均変調伝達関数（ＭＴＦ）値を与えるように成形される。
【００２３】
本明細書に記載のレンズの種々の実施形態において、光学部が模型眼に挿入されるとき、前面と後面とは、０〜２．５ジオプトリ（Ｄ）の範囲内の少なくとも９０％の物体のバージェンスに、位相反転なく変調伝達関数（ＭＴＦ）を与えるように成形されることができる。いくつかのそうした実施形態において、該光学部が模型眼に挿入されるとき、前面と後面とは、０〜２．５ジオプトリ（Ｄ）の範囲内の少なくとも９５％、９８％、９９％、又は１００％の物体のバージェンスに、位相反転なく変調伝達関数（ＭＴＦ）を与えるように成形される。
【００２４】
本明細書に記載のレンズの種々の実施形態において、前面は、０〜１ｍｍ、１×１０−６〜１×１０−３ｍｍ、又は５×１０−６〜５×１０−４ｍｍの曲率半径を有することができる。前面は、−１×１０６〜−１００、又は−３×１０５〜−２×１０５の円錐定数を有することができる。後面は０〜２０ｍｍの曲率半径Ｒｙを有することができる。後面は０〜２０ｍｍの曲率半径Ｒｘを有することができる。後面は−２０〜２０の円錐定数Ｋｙを有することができる。後面は−２５〜０の円錐定数Ｋｘを有することができる。
【００２５】
本明細書に記載のレンズのいくつかの実施形態において、レンズは眼の天然レンズの前方に配置されるように構成されることができる。レンズの他のいくつかの実施形態において、レンズは水晶体嚢に配置されるように構成されることができる。
【００２６】
本明細書に記載の所定の実施形態は、任意の実施形態のレンズのレンズをインプラントする方法を包含する。該方法は、眼の組織に開口部を形成するステップと、眼の天然レンズの前方にレンズを挿入するステップを含むことができる。本明細書に記載の所定の実施形態は、眼の組織に開口部を形成するステップと、水晶体嚢にレンズを挿入するステップとを含む方法も包含する。
【００２７】
本明細書に記載のレンズの種々の実施形態において、光学部は、約７００ミクロン〜約４ミリメートルの、光軸に沿う厚みを有することができる。例として、光軸に沿う厚みは、約７００ミクロン〜約３ミリメートル、約７００ミクロン〜約２ミリメートル、約７００ミクロン〜約１ミリメートル、又はこれらの範囲の任意の値で構成される任意の範囲であり得る。
【００２８】
本明細書に記載の所定の実施形態は、ヒトの左右の眼にインプラントするように構成されたレンズ対を包む。レンズ対は第１レンズを含む。第１レンズは透明材料を含む光学部を含むことができる。第１レンズの光学部には前面と後面とがあり得る。前面は非球面を含むことができる。第１レンズの光学部が、２〜６ミリメートル、３〜６ミリメートル、又は４〜６ミリメートルの開口サイズ（例として、開口サイズは２ｍｍ、３ｍｍ、４ｍｍ、６ｍｍ、これらの範囲内の任意の値、又はそうした値により構成される任意の範囲であり得る）を有する模型眼に挿入されるとき、第１レンズの前面と後面とは、０〜２.０ジオプトリ（Ｄ）又は０〜２．５ジオプトリ（Ｄ）の範囲内の、少なくとも９０％の物体のバージェンスに、１００本／ミリメートルで、０．１〜０．４の平均変調伝達関数（ＭＴＦ）値を与えるように成形されることができる。第１レンズの平均ＭＴＦ値は、軸上物体について明所視の視感度関数によって重み付けされた約４００〜約７００ｎｍの波長に積分された１００本／ミリメートルでのＭＴＦ値を含むことができる。
【００２９】
また、レンズ対は第２レンズも含む。第２レンズは透明材料を含む光学部を包むことができる。第２レンズの光学部には前面と後面とがあり得る。前面は非球面を含むことができる。第２レンズの光学部が、２〜６ミリメートル、３〜６ミリメートル、又は４〜６ミリメートルの開口サイズ（例として、開口サイズは２ｍｍ、３ｍｍ、４ｍｍ、６ｍｍ、これらの範囲内の任意の値、又はそうした値により構成される任意の範囲であり得る）を有する模型眼に挿入されるとき、第２レンズの前面と後面とは、−２.０〜０ジオプトリ（Ｄ）又は−２．５〜０ジオプトリ（Ｄ）の範囲内の、少なくとも９０％の物体のバージェンスに、１００本／ミリメートルで、０．１〜０．４の平均変調伝達関数（ＭＴＦ）値を与えるように成形され得る。第２レンズの平均ＭＴＦ値は、軸上物体について明所視の視感度関数によって重み付けされた約４００〜約７００ｎｍの波長に積分された１００本／ミリメートルでのＭＴＦ値を含むことができる。
【００３０】
模型眼はＬｉｏｕ−Ｂｒｅｎｎａｎ模型眼を含み得る。あるいは、模型眼はＢａｄａｌ模型眼を含むことができる。さらに模型眼はアリゾナ模型眼又はインディアナ模型眼を含むことができる。その他の規格化模型眼又は同等の模型眼が用いられてもよい。
【００３１】
レンズ対の種々の実施形態において、第１レンズ又は第２レンズの光学部が有水晶体構造の模型眼に挿入されるとき、第１又レンズは第２レンズの変調伝達関数値が与えられるとよい。他の種々の実施形態において、第１レンズ又は第２レンズの光学部が無水晶体構造の模型眼に挿入されるとき、第１レンズ又は第２レンズの変調伝達関数値が与えられるとよい。
【００３２】
レンズ対の種々の実施形態において、第１レンズ又は第２レンズはハプティック部をさらに含むことができる。第１レンズ又は第２レンズの光学部は光軸を有し、約１００〜約７００ミクロンである、光軸における厚みを有することができる。その他の実施形態において、第１レンズ又は第２レンズの光学部は光軸を有し、約７００ミクロン〜約４ミリメートルである、光軸における厚みを有することができる。そうしたいくつかの実施形態において、光軸に沿う厚みは、約７００ミクロン〜約３ミリメートル、約７００ミクロン〜約２ミリメートル、約７００ミクロン〜約１ミリメートル、又はこれらの範囲の任意の値で構成される任意の範囲であり得る。
【００３３】
レンズ対の種々の実施形態において、第１レンズの前面と後面とは、０〜２．５ジオプトリ（Ｄ）の範囲内の、少なくとも９５％又は９８％の物体のバージェンスに、１００本／ミリメートルで０．１〜０．４の平均変調伝達関数（ＭＴＦ）値を与えるように成形されることができる。
【００３４】
レンズ対の種々の実施形態において、第２レンズの前面と後面とは、−２．５〜０ジオプトリ（Ｄ）の範囲内の、少なくとも９５％又は９８％の物体のバージェンスに、１００本／ミリメートルで０．１〜０．４の平均変調伝達関数（ＭＴＦ）値を与えるように成形されることができる。
【００３５】
レンズ対の種々の実施形態において、光学部が模型眼に挿入されるとき、第１レンズの前面と後面とは、０〜２．５ジオプトリ（Ｄ）の範囲内の、少なくとも９０％、９５％、９８％、９９％、又は１００％の物体のバージェンスに、位相反転なく変調伝達関数（ＭＴＦ）を与えるように成形されることができる。
【００３６】
レンズ対の種々の実施形態において、光学部が模型眼に挿入されるとき、第２レンズの前面と後面とは、−２．５〜０ジオプトリ（Ｄ）の範囲内の、少なくとも９０％、９５％、９８％、９９％、又は１００％の物体のバージェンスに、位相反転なく変調伝達関数（ＭＴＦ）を与えるように成形されことができる。
【００３７】
本明細書に記載の所定の実施形態は、ヒトの眼にインプラントされるように構成されたレンズを含む。レンズは透明材料を含む光学部を含むことができる。光学部には前面と後面とがあり得る。前面及び後面のそれぞれは表面頂点を有することができる。光学部には表面頂点を通過する光軸があり得る。前面及び後面の少なくとも１つは、第１部分と第２部分とを有する表面を含むことができる。第１部分は光軸を中心に配置されることができる。第２部分は第１部分を包囲し、第１部分とは異なる表面プロファイルを有することができる。第１部分は延長被写界深度を得るように構成されることができる。第２部分は、第１部分と比較して遠距離における視力特性メトリック（ｖｉｓｉｏｎ  ｑｕａｌｉｔｙ  ｍｅｔｒｉｃ）を向上するように構成可能である。
【００３８】
そうしたいくつかの実施形態において、遠距離とは無限遠〜２メートルの物体を含み、又は遠距離とは０Ｄバージェンスを含むことができる。レンズの種々の実施形態において、レンズは第２部分を包囲する第３部分をさらに含むことができる。第３部分は第２部分とは異なる表面プロファイルを有することができる。いくつかの実施形態において、第３部分は第１部分と同様の表面プロファイルを有することができる。第２部分は、第３部分と比較して遠距離における視力特性メトリックを向上するように構成可能である。例として、向上した視力特性メトリックとは、その変調伝達関数、コントラスト感度、それらから派生する指標、又はそれらの組合せであり得る。いくつかの実施形態において、第１部分は、光軸からの半径距離の非球面高次関数を含む包絡線の摂動でオフセットされた円錐、双円錐、又は双非球面包絡線を含む形状を有することができる。
【００３９】
本明細書に記載の所定の実施形態は、ヒトの眼にインプラントされるように構成されたレンズを含む。レンズは透明材料を含む光学部を包むことができる。光学部には前面と後面とがあり得る。前面及び後面のそれぞれは表面頂点を有することができる。光学部には表面頂点を通過する光軸があり得る。前面及び後面の少なくとも１つは、第１部分と第２部分とを有する表面を含むことができる。第１部分は、光軸からの半径距離の非球面高次関数を含む包絡線に関する摂動によってオフセットされた円錐、双円錐、又は双非球面包絡線を含む形状を有することができる。第２部分は、光軸からの半径距離の非球面高次関数を含む包絡線の摂動によってオフセットされない円錐、双円錐、又は双非球面包絡線を含む形状を有することができる。
【００４０】
レンズの種々の実施形態において、第１部分は光軸を中心に配置され得る。第２部分は第１部分を包囲することができる。いくつかの実施形態において、レンズは、第２部分を包囲する第３部分を含むことができる。第３部分は、光軸からの半径距離の非球面高次関数を含む包絡線に関する摂動によってオフセットされた円錐、双円錐、又は双非球面包絡線を含む形状を有することができる。そうしたいくつかの実施形態において、第３部分は、第１部分と実質的に同じである、光軸からの半径距離の非球面高次関数を含む包絡線に関する摂動によってオフセットされた円錐、双円錐、又は双非球面包絡線を有することができる。
【００４１】
本明細書に記載の所定の実施形態は、ヒトの眼にインプラントされるように構成されたレンズを含む。レンズは透明材料を含む光学部を含むことができる。光学部には前面と後面とがあり得る。前面及び後面のそれぞれは表面頂点を有することができる。光学部には表面頂点を通過する光軸があり得る。前面及び後面の少なくとも１つは、第１部分と第２部分とを有する表面を含むことができる。第１部分は光軸を中心に配置することができる。第２部分は第１部分を包囲することができる。第１部分は、延長被写界深度を与えるように第２部分よりも高く球面収差を制御することができる。
【００４２】
種々の実施形態において、レンズは第２部分を包囲する第３部分を含むことができる。第３部分は、延長被写界深度を与えるように第２部分よりも高く球面収差を制御することができる。第３部分は、第１部分と実質的に同じに球面収差を制御することができる。第１部分は、光軸からの半径距離の非球面高次関数を含む包絡線からの摂動によってオフセットされた円錐、双円錐、又は双非球面包絡線を含む形状を有することができる。
【００４３】
第３部分を有するレンズの種々の実施形態において、第３部分は、光軸からの半径距離の非球面高次関数を含む包絡線からの摂動によってオフセットされた円錐、双円錐、又は双非球面包絡線を含む形状を有することができる。
【００４４】
光軸からの半径距離の非球面高次関数を含む包絡線からの摂動によってオフセットされた円錐、双円錐、又は双非球面包絡線を含む形状を有するレンズの種々の実施形態において、非球面高次関数は、少なくとも１つの偶数次項ａ２ｎｒ２ｎを含むことができ、ｎは整数、ａ２ｎは係数、ｒは光軸からの半径距離である。例として、非球面高次関数は２次項ａ２ｒ２を含むことができ、ａ２は係数、ｒは光軸からの半径距離である。他の例として、非球面高次関数は４次項ａ４ｒ４を含むことができ、ａ４は係数、ｒは光軸からの半径距離である。非球面高次関数は６次項ａ６ｒ６をも含むことができ、ａ６は係数、ｒは光軸からの半径距離である。さらに、非球面高次関数は８次項ａ８ｒ８を含むことができ、ａ８は係数、ｒは光軸からの半径距離である。
【００４５】
第１部分と第２部分とを有するレンズの種々の実施形態において、レンズは、第１部分と第２部分との間で不連続性のない滑らかな移行をおこなう移行部分をさらに含むことができる。移行部分は、約０．１〜約１ｍｍの範囲の内径と外径との距離を有することができる。第１部分は、約２．５〜約４．５ｍｍの範囲の最大断面径を有することができる。例として、第１部分は約３．７５ｍｍの最大断面径を有することができる。第２部分は、約１〜約３．５ｍｍの範囲の内径と外径との距離を有することができる。いくつかの実施形態において、第２部分は、約０．２５〜約１．５ｍｍの範囲の内径と外径との距離を有することができる。
【００４６】
レンズの種々の実施形態において、光学部は、約１００〜約７００ミクロンの範囲（又はこの範囲の任意の値により構成される任意の範囲）である、光軸に沿う厚みを有することができる。あるいは、光学部は、約７００ミクロン〜約４ミリメートルの範囲（又はこの範囲の任意の値により構成される任意の範囲）である、光軸に沿う厚みを有することができる。種々の実施形態において、レンズは、インプラントされたときに光学部を眼に付けるために光学部に対して配置された少なくとも１つのハプティックも含むことができる。いくつかの実施形態において、前面は、第１部分と第２部分とを有する表面を含むことができる。後面は、双円錐包絡線を有する形状を含むことができる。
【００４７】
本明細書に記載の所定の実施形態は、ヒトの眼にインプラントされるように構成されたレンズを含む。レンズは透明材料を含む光学部を含むことができる。光学部には前面と後面とがあり得る。前面及び後面のそれぞれは表面頂点を有することができる。光学部には表面頂点を通過する光軸があり得る。前面及び後面の少なくとも１つは、第１部分と第２部分とを有する表面を含むことができる。第１部分は光軸を中心に配置されることができる。第２部分は第１部分を包囲することができる。第１部分は、延長被写界深度を与えるように構成されることができる。第２部分は、単焦点遠距離焦点調節を行うように構成されることができる。
【００４８】
いくつかのそうした実施形態において、レンズは、第２部分を包囲する第３部分をさらに含むことができる。第３部分は、延長被写界深度を与えるように構成されることができる。第１部分は、光軸からの半径距離の非球面高次関数を含む包絡線に関する摂動によってオフセットされた円錐、双円錐、又は双非球面包絡線を含む形状を有することができる。さらに、第３部分は、光軸からの半径距離の非球面高次関数を含む包絡線に関する摂動によってオフセットされた円錐、双円錐、又は双非球面包絡線を含む形状を有することができる。
【００４９】
第１部分と第２部分とを有するレンズの種々の実施形態において、第１部分と第２部分とのそれぞれは焦線（ｃａｕｓｔｉｃ）を有することができる。第２部分は、第２部分の焦線が第１部分の焦線と滑らかに融合するように、円錐定数を有することができる。いくつかの実施例において、第２部分の焦線は、第２部分が球面を含む場合よりも、第１部分の焦線とより滑らかに融合する。第３部分を有するレンズの種々の実施形態において、第２部分と第３部分とは焦線を有することができる。第２部分は、第２部分の焦線が第３部分の焦線と滑らかに融合するように、円錐定数を有することができる。いくつかの実施例において、第２部分の焦線は、第２部分が球面を含む場合よりも、第３部分の焦線とより滑らかに融合する。
【００５０】
第１部分と第２部分とを有するレンズの所定の実施形態において、前面は凸状であり得る。後面は凹状であり得る。例として、光学部がメニスカス形状であるように、前面は凸状であり得、後面は凹状であり得る。他の種々の実施形態において、後面は凸状であり得る。いくつかの実施形態において、前面は凹状であり得る。さらに、第１部分と第２部分とを有するレンズの種々の実施形態において、第２部分は、光軸からの半径距離の非球面高次関数を含む包絡線の摂動によってオフセットされない円錐、双円錐、又は双非球面包絡線を含む形状を有することができる。
【００５１】
本明細書に記載の所定の実施形態は、ヒトの眼にインプラントされるように構成されたレンズを含む。レンズは透明材料を含む光学部を含むことができる。光学部には前面と後面とがあり得る。前面及び後面のそれぞれは表面頂点を有することができる。光学部には表面頂点を通過する光軸があり得る。レンズは、インプラントされたときに光学部を眼に付けるために光学部に対して配置された少なくとも１つのハプティックを含むことができる。前面と後面とは非球面を含むことができ、後面は、光軸からの半径距離の非球面高次関数を含む摂動でオフセットされた双円錐を含む非球面形状を有することができる。後面は、０、０．１、０．２、０．２５又は０．５と１００との間である、比率Ｒｘ／Ｒｙの絶対値と、０、０．１、０．２、０．２５又は０．５と１００との間である、比率ｋｘ／ｋｙの絶対値とを有することができる。いくつかの実施形態では、比率Ｒｘ／Ｒｙの絶対値は、０、０．１、０．２、０．２５若しくは０．５と７５との間、０、０．１、０．２、０．２５、若しくは０．５と５０との間、０、０．１、０．２、０．２５若しくは０．５と２５との間、又は０、０．１、０．２、０．２５若しくは０．５と１０との間である。さらに、いくつかの実施形態では、比率ｋｘ／ｋｙの絶対値は、０、０．１、０．２、０．２５若しくは０．５と７５との間、０、０．１、０．２、０．２５、若しくは０．５と５０との間、０、０．１、０．２、０．２５若しくは０．５と２５との間、又は０、０．１、０．２、０．２５若しくは０．５と１０との間である。
【００５２】
本明細書に記載の所定の実施形態は、ヒトの眼にインプラントされるように構成されたレンズを含む。レンズは透明材料を含む光学部を含むことができる。光学部には前面と後面とがあり得る。前面又は後面は非球面を含むことができる。４〜６ミリメートルの開口サイズを有するヒトの眼に光学部を挿入するとき、前面と後面とは、０〜＋１．５Ｄ、０〜＋２．０Ｄ、又は０〜＋２．５Ｄの範囲内の少なくとも９０％、９５％、又は９８％の物体のバージェンスに、少なくとも０．６、０．７、０．８、０．９又は１であるサルバドール画質（Ｓａｌｖａｄｏｒ  Ｉｍａｇｅ  Ｑｕａｌｉｔｙ、ＳＩＱ）メトリックを与えるように成形することができる。例えば、開口サイズは６ｍｍとすることができる。
【００５３】
本明細書に記載の所定の実施形態は、ヒトの眼にインプラントされるように構成されたレンズを含む。レンズは透明材料を含む光学部を含むことができる。光学部には前面と後面とがあり得る。前面又は後面は非球面を含むことができる。４〜６ミリメートルの開口サイズを有するヒトの眼、又は４〜６ミリメートルの開口サイズを有する模型眼に光学部を挿入するとき、前面と後面とは、０〜＋１．５Ｄ、０〜＋２．０Ｄ、又は０〜＋２．５Ｄの範囲内の物体のバージェンスの少なくとも９０％、９５％、又は９８％に、平均を超える精神物理学的グレードを与えるように成形することができる。そうしたいくつかの実施形態において、前面及び後面のそれぞれは表面頂点を有することができる。光学部には表面頂点を通過する光軸があり得る。前面と後面とは、光軸からの半径距離の非球面高次関数を含む摂動でオフセットされた双円錐を含む非球面形状を有することができる。
【００５４】
種々の実施形態において、光学部は射出瞳を含むことができ、前面と後面とは、０〜２．５Ｄの物体のバージェンスについて、光学部の射出瞳の波面にΦ（ｒ）＝ａ＋ｂｒ２＋ｃｒ４＋ｄｒ６＋ｅｒ８によって表される放射パワープロファイルを提供するように成形されることができ、ｒは光軸からの半径距離であり、ａ、ｂ、ｃ、ｄ、及びｅは係数である。いくつかの実施形態において、光軸に沿う厚みは、約１００〜約７００マイクロメートルであり得る。光学部がメニスカス形状であるように、前面は凸状であり、後面は凹状であり得る。
【００５５】
［実施例］
１．  ヒトの眼にインプラントされるように構成されたレンズであって、該レンズは、
透明材料を含み、それぞれが表面頂点を有する凸状前面と凹状後面とを有してメニスカス形状をなし、表面頂点を通過する光軸を有し、光軸に沿って約１００マイクロメートル〜７００マイクロメートルの厚みを有する光学部と、
インプラントされたときに光学部を眼に付けるために光学部のまわりに配置されたハプティック部と、を含み、
前面と後面とは非球面を含む、レンズ。
２．  前面は回転対称である、実施例１に記載のレンズ。
３．  前面は円錐項又は双円錐項で表される形状を有する、実施例１に記載のレンズ。
４．  前面は、円錐項又は双円錐項と非球面高次摂動項とで表される形状を有する、実施例３に記載のレンズ。
５．  後面は、円錐項又は双円錐項で表される形状を有する、実施例２に記載のレンズ。
６．  円錐項又は双円錐項は、０よりも大きい円錐定数を有する、実施例５に記載のレンズ。
７．  円錐項又は双円錐項は、少なくとも１の大きさの円錐定数を有する、実施例６に記載のレンズ。
８．  円錐項又は双円錐項は、少なくとも１０の大きさの円錐定数を有する、実施例７に記載のレンズ。
９．  後面は、回転非対称であり、且つ光学部の光軸を通過する異なる方向に異なる曲率を有する、実施例２〜４のいずれかに記載のレンズ。
１０．  後面は、光学部の光軸の直交方向に異なる曲率を有する、実施例９に記載のレンズ。
１１．  後面は、回転非対称であり、且つ双円錐項で表される形状を有する、実施例２〜３のいずれかに記載のレンズ。
１２．  双円錐項は、０より大きい円錐定数を有する、実施例１１に記載のレンズ。
１３．  双円錐項は、少なくとも１の大きさの円錐定数を有する、実施例１２に記載のレンズ。
１４．  双円錐項は、少なくとも１０の大きさの円錐定数を有する、実施例１３に記載のレンズ。
１５．  ヒトの眼にインプラントされるように構成されたレンズであって、該レンズは、
透明材料を含み、それぞれが表面頂点を有する凸状前面と凹状後面とを有してメニスカス形状をなし、表面頂点を通過する光軸を有する光学部と、
インプラントされたときに光学部を眼に付けるために光学部に配置された少なくとも１つのハプティックと、を含み、
前面と後面とは非球面を含み、前面は光軸からの半径距離の非球面高次関数を含む摂動によりオフセットされた円錐又は双円錐を含む非球面形状を有する、レンズ。
１６．  非球面高次関数は２次項ａ２ｒ２を含み、ａ２は係数であり、ｒは光軸からの半径距離である、実施例１５に記載のレンズ。
１７．  非球面高次関数は４次項ａ４ｒ４を含み、ａ４は係数であり、ｒは光軸からの半径距離である、実施例１５又は１６に記載のレンズ。
１８．  非球面高次関数は６次項ａ６ｒ６を含み、ａ６は係数であり、ｒは光軸からの半径距離である、実施例１５〜１７のいずれかに記載のレンズ。
１９．  非球面高次関数は８次項ａ８ｒ８を含み、ａ８は係数であり、ｒは光軸からの半径距離である、実施例１５〜１８のいずれかに記載のレンズ。
２０．  非球面高次関数は少なくとも１つの偶数次項ａ２ｎｒ２ｎを含み、ｎは整数であり、ａ２ｎは係数であり、ｒは光軸からの半径距離である、実施例１５に記載のレンズ。
２１．  複数のハプティックを含む、実施例１５〜２０のいずれかに記載のレンズ。
２２．  光学部は、光軸に沿って約１００ミクロン〜７００ミクロンの厚みを有する、実施例１５〜２１のいずれかに記載のレンズ。
２３．  前面は、摂動によりオフセットされた双円錐を含む非球面形状を有する、実施例１５〜２２のいずれかに記載のレンズ。
２４．  ヒトの眼にインプラントされるように構成されたレンズであって、該レンズは、
非球面を含む前面と、後面とを有し、且つ透明材料を含む光学部を含み、
前面と後面とは、４ミリメートル〜６ミリメートルの開口サイズを有するヒトの眼に光学部が挿入されるとき、０ジオプトリ〜２．５ジオプトリ（Ｄ）の範囲内の少なくとも９０％の物体のバージェンスに、１００本／ミリメートルで０．１〜０．４の平均変調伝達関数（ＭＴＦ）値を与えるように成形され、平均ＭＴＦ値は、軸上物体について明所視の視感度関数によって重み付けされた約４００ｎｍ〜７００ｎｍの波長に積分された１００本／ミリメートルでのＭＴＦ値を含む、レンズ。
２５．  ヒトの眼は水晶体を含み、平均変調伝達関数値は、光学部が水晶体の前方に挿入されるときに与えられる、実施例２４に記載のレンズ。
２６．  ヒトの眼は水晶体を含まず、変調伝達関数値は、光学部が水晶体に代えて挿入されるときに与えられる、実施例２４に記載のレンズ。
２７．  ハプティック部をさらに含む、実施例２４〜２６のいずれかに記載のレンズ。
２８．  光学部は光軸を有し、光軸に沿って約１００ミクロン〜７００ミクロンの厚みを有する、実施例２４〜２７のいずれかに記載のレンズ。
２９．  ヒトの眼にインプラントされるように構成されたレンズであって、該レンズは、
非球面を含む前面と、後面とを有し、且つ透明材料を含む光学部を含み、
前面と後面とは、４ミリメートル〜６ミリメートルの開口サイズを有する模型眼に光学部が挿入されるときに、０ジオプトリ〜２．５ジオプトリ（Ｄ）の範囲内の少なくとも９０％の物体のバージェンスに、１００本／ミリメートルで０．１〜０．４の平均変調伝達関数（ＭＴＦ）値を与えるように成形され、平均ＭＴＦ値は、軸上物体について明所視の視感度関数によって重み付けされた約４００ｎｍ〜７００ｎｍの波長に積分された１００本／ミリメートルでのＭＴＦ値を含む、レンズ。
３０．  模型眼はＬｉｏｕ−Ｂｒｅｎｎａｎ模型眼を含む、実施例２９に記載のレンズ。
３１．  模型眼はＢａｄａｌ模型眼を含む、実施例２９に記載のレンズ。
３２．  模型眼はアリゾナ模型眼又はインディアナ模型眼を含む、実施例２９に記載のレンズ。
３３．  変調伝達関数値は、光学部が有水晶体構造の模型眼に挿入されるときに与えられる、実施例２９〜３２のいずれかに記載のレンズ。
３４．  変調伝達関数値は、光学部が無水晶体構造の模型眼に挿入されるときに与えられる、実施例２９〜３２のいずれかに記載のレンズ。
３５．  ハプティック部をさらに含む、実施例２９〜３４のいずれかに記載のレンズ。
３６．  光学部は光軸を有し、光軸に沿って約１００ミクロン〜７００ミクロンの厚みを有する、実施例２９〜３５のいずれかに記載のレンズ。
３７．  開口サイズは６ミリメートルである、実施例２９〜３６のいずれかに記載のレンズ。
３８．  開口サイズは４ミリメートルである、実施例２９〜３６のいずれかに記載のレンズ。
３９．  ヒトの眼にインプラントされるように構成されたレンズであって、該レンズは、
非球面を含む前面と、後面と、射出瞳とを有し、且つ透明材料を含む光学部を含み、
前面と後面とは、０ジオプトリ〜２．５ジオプトリ（Ｄ）の物体のバージェンスについて、光学部の射出瞳の波面にΦ（ｒ）＝ａ＋ｂｒ２＋ｃｒ４＋ｄｒ６＋ｅｒ８によって表される放射パワー（ｒａｄｉａｌ  ｐｏｗｅｒ）プロファイルを提供するように成形され、ｒは前面と後面との表面頂点を通過して延びる光軸からの半径距離であり、ａ、ｂ、ｃ、ｄ、及びｅは係数である、レンズ。
４０．  ヒトの眼にインプラントされるように構成されたレンズであって、該レンズは、
透明材料を含み、それぞれが表面頂点を有する凸状前面と凹状後面とを有してメニスカス形状をなし、表面頂点を通過する光軸を有する光学部と、
インプラントされたときに光学部を眼に付けるために光学部に配置された少なくとも１つのハプティックと、を含み、
前面と後面とは非球面を含み、後面は光軸からの半径距離の非球面高次関数を含む摂動によりオフセットされた円錐又は双円錐を含む非球面形状を有する、レンズ。
４１．  非球面高次関数は２次項ａ２ｒ２を含み、ａ２は係数であり、ｒは光軸からの半径距離である、実施例４０に記載のレンズ。
４２．  非球面高次関数は４次項ａ４ｒ４を含み、ａ４は係数であり、ｒは光軸からの半径距離である、実施例４０又は４１に記載のレンズ。
４３．  非球面高次関数は６次項ａ６ｒ６を含み、ａ６は係数であり、ｒは光軸からの半径距離である、実施例４０〜４２のいずれかに記載のレンズ。
４４．  非球面高次関数は８次項ａ８ｒ８を含み、ａ８は係数であり、ｒは光軸からの半径距離である、実施例４０〜４３のいずれかに記載のレンズ。
４５．  非球面高次関数は少なくとも１つの偶数次項ａ２ｎｒ２ｎを含み、ｎは整数であり、ａ２ｎは係数であり、ｒは光軸からの半径距離である、実施例４０に記載のレンズ。
４６．  光学部は光軸に沿って約１００ミクロン〜７００ミクロンの厚みを有する、実施例４０〜４５のいずれかに記載のレンズ。
４７．  後面は、摂動によりオフセットされた双円錐を含む非球面形状を有する、実施例４０〜４６のいずれかに記載のレンズ。
４８．  ヒトの左右の眼にインプラントされるように構成されたレンズ対であって、
該レンズ対は、第１レンズと第２レンズとを含み、
第１レンズには、非球面を含む前面と、後面とを有し、且つ透明材料を含む光学部を含み、
第１レンズの前面と後面とは、４ミリメートル〜６ミリメートルの開口サイズを有する模型眼に第１レンズの光学部が挿入されるとき、０ジオプトリ〜２．５ジオプトリ（Ｄ）の範囲内の少なくとも９０％の物体のバージェンスに、１００本／ミリメートルで０．１〜０．４の平均変調伝達関数（ＭＴＦ）値を与えるように成形され、第１レンズの平均ＭＴＦ値は、軸上物体について明所視の視感度関数によって重み付けされた約４００ｎｍ〜７００ｎｍの波長に積分された１００本／ミリメートルでのＭＴＦ値を含み、
第２レンズには、非球面を含む前面と、後面とを有し、且つ透明材料を含む光学部を含み、
第２レンズの前面と後面とは、４ミリメートル〜６ミリメートルの開口サイズを有する模型眼に第２レンズの光学部が挿入されるとき、−２．５ジオプトリ〜０ジオプトリ（Ｄ）の範囲内の少なくとも９０％の物体のバージェンスに、１００本／ミリメートルで０．１〜０．４の平均変調伝達関数（ＭＴＦ）値を与えるように成形され、第２レンズの平均ＭＴＦ値は、軸上物体について明所視の視感度関数によって重み付けされた約４００ｎｍ〜７００ｎｍの波長に積分された１００本／ミリメートルでのＭＴＦ値を含む、レンズ対。
４９．  模型眼はＬｉｏｕ−Ｂｒｅｎｎａｎ模型眼を含む、実施例４８に記載のレンズ対。
５０．  模型眼はＢａｄａｌ模型眼を含む、実施例４８に記載のレンズ対。
５１．  模型眼はアリゾナ模型眼又はインディアナ模型眼を含む、実施例４８に記載のレンズ対。
５２．  ヒトの眼にインプラントされるように構成されたレンズであって、該レンズは、
透明材料を含み、それぞれが表面頂点を有する前面と後面とを有し、表面頂点を通過する光軸を有し、且つ光軸に沿って約１００マイクロメートル〜４００マイクロメートルの厚みを有する光学部と、
インプラントされたときに光学部を眼に付けるために光学部に配置された少なくとも１つのハプティックと、を含み、
前面と後面との少なくとも１つは非球面を含む、レンズ。
５３．  前面は凸状である、実施例５２に記載のレンズ。
５４．  後面は凹状である、実施例５２又は５３に記載のレンズ。
５５．  ヒトの眼にインプラントされるように構成されたレンズであって、該レンズは、
透明材料を含み、それぞれが表面頂点を有する前面と後面とを有し、且つ表面頂点を通過する光軸を有する光学部と、
インプラントされたときに光学部を眼に付けるために光学部に配置された少なくとも１つのハプティックと、を含み、
前面と後面との少なくとも１つは、光軸からの半径距離の非球面高次関数を含む摂動を含む非球面を含み、前面と後面との少なくとも１つは、双円錐を含む非球面形状を有する、レンズ。
５６．  前面は凸状である、実施例５５に記載のレンズ。
５７．  後面は凹状である、実施例５５又は５６に記載のレンズ。
５８．  ヒトの眼にインプラントされるように構成されたレンズであって、該レンズは、
透明材料を含み、それぞれが表面頂点を有する前面と後面とを有し、表面頂点を通過する光軸を有し、且つ光軸に沿って約１００マイクロメートル〜７００マイクロメートルの厚みを有する光学部と、
インプラントされたときに光学部を眼に付けるために光学部のまわりに配置されたハプティック部と、を含み、
前面と後面とは非球面を含む、レンズ。
５９．  ヒトの眼にインプラントされるように構成されたレンズであって、該レンズは、
透明材料を含み、それぞれが表面頂点を有する前面と後面とを有し、且つ表面頂点を通過する光軸を有する光学部と、
インプラントされたときに光学部を眼に付けるために光学部に配置された少なくとも１つのハプティックと、を含み、
前面と後面との少なくとも１つは、光軸からの半径距離の非球面高次関数を含む摂動によりオフセットされた円錐又は双円錐を含む非球面を含む、レンズ。
６０．  透明材料はコラマー（Ｃｏｌｌａｍｅｒ）を含む、実施例１〜４７のいずれか又は実施例５２〜５９のいずれかに記載のレンズ。
６１．  透明材料はシリコン、アクリル、又はヒドロゲルを含む、実施例１〜４７のいずれか又は実施例５２〜５９のいずれかに記載のレンズ。
６２．  透明材料は疎水性材料又は親水性材料を含む、実施例１〜４７のいずれか又は実施例５２〜５９のいずれかに記載のレンズ。
６３．  光学部は光軸に沿って１００マイクロメートル〜４００マイクロメートルの厚みを有する、実施例１〜２３、実施例２８、実施例３６のいずれか、実施例３９〜４７のいずれか、又は実施例５５〜５９のいずれかに記載のレンズ。
６４．  光学部は光軸に沿って１００マイクロメートル〜３００マイクロメートルの厚みを有する、実施例６３に記載のレンズ。
６５．  光学部は光軸に沿って１００マイクロメートル〜２００マイクロメートルの厚みを有する、実施例６４に記載のレンズ。
６６．  光学部は光軸に沿って２００マイクロメートル〜３００マイクロメートルの厚みを有する、実施例６４に記載のレンズ。
６７．  光学部は光軸に沿って３００マイクロメートル〜４００マイクロメートルの厚みを有する、実施例６３に記載のレンズ。
６８．  光学部の前面と後面とは、４ミリメートル〜６ミリメートルの開口サイズを有する模型眼に光学部が挿入されるときに、０ジオプトリ〜２．５ジオプトリ（Ｄ）の範囲内の少なくとも９０％の物体のバージェンスに、１００本／ミリメートルで０．１〜０．４の平均変調伝達関数（ＭＴＦ）値を与えるように成形され、平均ＭＴＦ値は、軸上物体について明所視の視感度関数によって重み付けされた約４００ｎｍ〜７００ｎｍの波長に積分された１００本／ミリメートルでのＭＴＦ値を含む、実施例１〜２８のいずれか、実施例３９〜４７のいずれか、又は実施例５２〜５９のいずれかに記載のレンズ。
６９．  模型眼はＬｉｏｕ−Ｂｒｅｎｎａｎ模型眼を含む、実施例６８に記載のレンズ。
７０．  模型眼はＢａｄａｌ模型眼を含む、実施例６８に記載のレンズ。
７１．  模型眼はアリゾナ模型眼又はインディアナ模型眼を含む、実施例６８に記載のレンズ。
７２．  光学部の前面と後面とは、０ジオプトリ〜２．５ジオプトリ（Ｄ）の範囲内の少なくとも９５％の物体のバージェンスに、１００本／ミリメートルで０．１〜０．４の平均変調伝達関数（ＭＴＦ）値を与えるように成形される、実施例２４〜３８のいずれか又は実施例６８〜７１のいずれかに記載のレンズ。
７３．  光学部の前面と後面とは、０ジオプトリ〜２．５ジオプトリ（Ｄ）の範囲内の少なくとも９８％の物体のバージェンスに、１００本／ミリメートルで０．１〜０．４の平均変調伝達関数（ＭＴＦ）値を与えるように成形される、実施例７２に記載のレンズ。
７４．  前面と後面とは、４ミリメートル〜６ミリメートルの開口サイズを有する模型眼に光学部が挿入されるときに、０ジオプトリ〜２．５ジオプトリ（Ｄ）の範囲内の少なくとも９０％の物体のバージェンスに、位相反転なく変調伝達関数（ＭＴＦ）を与えるように成形される、実施例１〜４７のいずれか又は実施例５２〜７３のいずれかに記載のレンズ。
７５．  前面と後面とは、４ミリメートル〜６ミリメートルの開口サイズを有する模型眼に光学部が挿入されるときに、０ジオプトリ〜２．５ジオプトリ（Ｄ）の範囲内の少なくとも９５％の物体のバージェンスに、位相反転なく変調伝達関数（ＭＴＦ）を与えるように成形される、実施例７４に記載のレンズ。
７６．  前面と後面とは、４ミリメートル〜６ミリメートルの開口サイズを有する模型眼に光学部が挿入されるときに、０ジオプトリ〜２．５ジオプトリ（Ｄ）の範囲内の少なくとも９８％の物体のバージェンスに、位相反転なく変調伝達関数（ＭＴＦ）を与えるように成形される、実施例７５に記載のレンズ。
７７．  前面と後面とは、４ミリメートル〜６ミリメートルの開口サイズを有する模型眼に光学部が挿入されるときに、０ジオプトリ〜２．５ジオプトリ（Ｄ）の範囲内の少なくとも９９％の物体のバージェンスに、位相反転なく変調伝達関数（ＭＴＦ）を与えるように成形される、実施例７６に記載のレンズ。
７８．  前面と後面とは、４ミリメートル〜６ミリメートルの開口サイズを有する模型眼に光学部が挿入されるときに、０ジオプトリ〜２．５ジオプトリ（Ｄ）の範囲内の少なくとも１００％の物体のバージェンスに、位相反転なく変調伝達関数（ＭＴＦ）を与えるように成形される、実施例７７に記載のレンズ。
７９．  前面は０ｍｍ〜１ｍｍの曲率半径を有する、実施例１〜４７のいずれか又は実施例５２〜７８のいずれかに記載のレンズ。
８０．  前面は１×１０−６ｍｍ〜１×１０−３ｍｍの曲率半径を有する、実施例１〜４７のいずれか又は実施例５２〜７８のいずれかに記載のレンズ。
８１．  前面は５×１０−６ｍｍ〜５×１０−４ｍｍの曲率半径を有する、実施例１〜４７のいずれか又は実施例５２〜７８のいずれかに記載のレンズ。
８２．  前面は−１×１０６〜−１００の円錐定数を有する、実施例１〜４７のいずれか又は実施例５２〜８１のいずれかに記載のレンズ。
８３．  前面は−３×１０５〜−２×１０５の円錐定数を有する、実施例１〜４７のいずれか又は実施例５２〜８１のいずれかに記載のレンズ。
８４．  後面は０ｍｍ〜２０ｍｍの曲率半径Ｒｙを有する、実施例１〜４７のいずれか又は実施例５２〜８３のいずれかに記載のレンズ。
８５．  後面は０ｍｍ〜２０ｍｍの曲率半径Ｒｘを有する、実施例１〜４７のいずれか又は実施例５２〜８４のいずれかに記載のレンズ。
８６．  後面は−２０〜２０の円錐定数Ｋｙを有する、実施例１〜４７のいずれか又は実施例５２〜８５のいずれかに記載のレンズ。
８７．  後面は−２５〜０の円錐定数Ｋｘを有する、実施例１〜４７のいずれか又は実施例５２〜８６のいずれかに記載のレンズ。
８８．  実施例１〜４７のいずれか又は実施例５２〜８７のいずれかに記載のレンズをインプラントする方法であって、
眼の組織に開口部を形成するステップと、
眼の天然レンズの前方にレンズを挿入するステップと、を含む方法。
８９．  実施例１〜４７のいずれか又は実施例５２〜８７のいずれかに記載のレンズをインプラントする方法であって、
眼の組織に開口部を形成するステップと、
レンズを水晶体嚢に挿入するステップと、を含む方法。
９０．  眼の天然レンズの前方に配置されるように構成された、実施例１〜４７のいずれか又は実施例５２〜８７のいずれかに記載のレンズ。
９１．  水晶体嚢に配置されるように構成された、実施例１〜４７のいずれか又は実施例５２〜８７のいずれかに記載のレンズ。
９２．  光学部は、光軸に沿って約７００ミクロン〜４ミリメートルの厚みを有する、実施例１５〜２１のいずれか、実施例３９〜４５のいずれか、実施例５５〜５７のいずれか、又は実施例５９に記載のレンズ。
９３．  光学部は光軸を有し、光軸に沿って約７００ミクロン〜４ミリメートルの厚みを有する、実施例２４、又は実施例２９〜３２のいずれかに記載のレンズ。
９４．  光学部は、光軸に沿って約７００ミクロン〜３ミリメートルの厚みを有する、実施例９２又は９３に記載のレンズ。
９５．  光学部は、光軸に沿って約７００ミクロン〜２ミリメートルの厚みを有する、実施例９４に記載のレンズ。
９６．  光学部は、光軸に沿って約７００ミクロン〜１ミリメートルの厚みを有する、実施例９５に記載のレンズ。
９７．  第１レンズ又は第２レンズの変調伝達関数値は、第１レンズ又は第２レンズの光学部が有水晶体構造の模型眼に挿入されるときに与えられる、実施例４８〜５１のいずれかに記載のレンズ対。
９８．  第１レンズ又は第２レンズの変調伝達関数値は、第１レンズ又は第２レンズの光学部が無水晶体構造の模型眼に挿入されるときに与えられる、実施例４８〜５１のいずれかに記載のレンズ対。
９９．  第１レンズ又は第２レンズは、ハプティック部をさらに含む、実施例４８〜５１のいずれか又は実施例９７〜９８のいずれかに記載のレンズ対。
１００．  第１レンズ又は第２レンズの光学部は光軸を有し、光軸に沿って約１００ミクロン〜７００ミクロンの厚みを有する、実施例４８〜５１のいずれか又は実施例９７〜９９のいずれかに記載のレンズ対。
１０１．  第１レンズ又は第２レンズの光学部は光軸を有し、光軸に沿って約７００ミクロン〜４ミリメートルの厚みを有する、実施例４８〜５１のいずれかに記載のレンズ対。
１０２．  第１レンズ又は第２レンズの光学部は、光軸に沿って約７００ミクロン〜３ミリメートルの厚みを有する、実施例１０１に記載のレンズ対。
１０３．  第１レンズ又は第２レンズの光学部は、光軸に沿って約７００ミクロン〜２ミリメートルの厚みを有する、実施例１０２に記載のレンズ対。
１０４．  第１レンズ又は第２レンズの光学部は、光軸に沿って約７００ミクロン〜１ミリメートルの厚みを有する、実施例１０３に記載のレンズ対。
１０５．  開口サイズは６ミリメートルである、実施例４８〜５１のいずれか又は実施例９７〜１０４のいずれかに記載のレンズ対。
１０６．  開口サイズは４ミリメートルである、実施例４８〜５１のいずれか又は実施例９７〜１０４のいずれかに記載のレンズ対。
１０７．  第１レンズの前面と後面とは、０ジオプトリ〜２．５ジオプトリ（Ｄ）の範囲内の少なくとも９５％の物体のバージェンスに、１００本／ミリメートルで０．１〜０．４の平均変調伝達関数（ＭＴＦ）値を与えるように成形される、実施例４８〜５１のいずれか又は実施例９７〜１０６のいずれかに記載のレンズ対。
１０８．  第１レンズの前面と後面とは、０ジオプトリ〜２．５ジオプトリ（Ｄ）の範囲内の少なくとも９８％の物体のバージェンスに、１００本／ミリメートルで０．１〜０．４の平均変調伝達関数（ＭＴＦ）値を与えるように成形される、実施例１０７に記載のレンズ対。
１０９．  第２レンズの前面と後面とは、−２．５ジオプトリ〜０ジオプトリ（Ｄ）の範囲内の少なくとも９５％の物体のバージェンスに、１００本／ミリメートルで０．１〜０．４の平均変調伝達関数（ＭＴＦ）値を与えるように成形される、実施例４８〜５１のいずれか又は実施例９７〜１０８のいずれかに記載のレンズ対。
１１０．  第２レンズの前面と後面とは、−２．５ジオプトリ〜０ジオプトリ（Ｄ）の範囲内の少なくとも９８％の物体のバージェンスに、１００本／ミリメートルで０．１〜０．４の平均変調伝達関数（ＭＴＦ）値を与えるように成形される、実施例１０９に記載のレンズ対。
１１１．  第１レンズの前面と後面とは、４ミリメートル〜６ミリメートルの開口サイズを有する模型眼に光学部が挿入されるときに、０ジオプトリ〜２．５ジオプトリ（Ｄ）の範囲内の少なくとも９０％の物体のバージェンスに、位相反転なく変調伝達関数（ＭＴＦ）を与えるように成形される、実施例４８〜５１のいずれか又は実施例９７〜１１０のいずれかに記載のレンズ対。
１１２．  第１レンズの前面と後面とは、４ミリメートル〜６ミリメートルの開口サイズを有する模型眼に光学部が挿入されるときに、０ジオプトリ〜２．５ジオプトリ（Ｄ）の範囲内の少なくとも９５％の物体のバージェンスに、位相反転なく変調伝達関数（ＭＴＦ）を与えるように成形される、実施例１１１に記載のレンズ対。
１１３．  第１レンズの前面と後面とは、４ミリメートル〜６ミリメートルの開口サイズを有する模型眼に光学部が挿入されるときに、０ジオプトリ〜２．５ジオプトリ（Ｄ）の範囲内の少なくとも９８％の物体のバージェンスに、位相反転なく変調伝達関数（ＭＴＦ）を与えるように成形される、実施例１１２に記載のレンズ対。
１１４．  第１レンズの前面と後面とは、４ミリメートル〜６ミリメートルの開口サイズを有する模型眼に光学部が挿入されるときに、０ジオプトリ〜２．５ジオプトリ（Ｄ）の範囲内の少なくとも９９％の物体のバージェンスに、位相反転なく変調伝達関数（ＭＴＦ）を与えるように成形される、実施例１１３に記載のレンズ対。
１１５．  第１レンズの前面と後面とは、４ミリメートル〜６ミリメートルの開口サイズを有する模型眼に光学部が挿入されるときに、０ジオプトリ〜２．５ジオプトリ（Ｄ）の範囲内の１００％の物体のバージェンスに、位相反転なく変調伝達関数（ＭＴＦ）を与えるように成形される、実施例１１４に記載のレンズ対。
１１６．  第２レンズの前面と後面とは、４ミリメートル〜６ミリメートルの開口サイズを有する模型眼に光学部が挿入されるときに、−２．５ジオプトリ〜０ジオプトリ（Ｄ）の範囲内の少なくとも９０％の物体のバージェンスに、位相反転なく変調伝達関数（ＭＴＦ）を与えるように成形される、実施例４８〜５１のいずれか又は実施例９７〜１１５のいずれかに記載のレンズ対。
１１７．  第２レンズの前面と後面とは、４ミリメートル〜６ミリメートルの開口サイズを有する模型眼に光学部が挿入されるときに、−２．５ジオプトリ〜０ジオプトリ（Ｄ）の範囲内の少なくとも９５％の物体のバージェンスに、位相反転なく変調伝達関数（ＭＴＦ）を与えるように成形される、実施例１１６に記載のレンズ対。
１１８．  第２レンズの前面と後面とは、４ミリメートル〜６ミリメートルの開口サイズを有する模型眼に光学部が挿入されるときに、−２．５ジオプトリ〜０ジオプトリ（Ｄ）の範囲内の少なくとも９８％の物体のバージェンスに、位相反転なく変調伝達関数（ＭＴＦ）を与えるように成形される、実施例１１７に記載のレンズ対。
１１９．  第２レンズの前面と後面とは、４ミリメートル〜６ミリメートルの開口サイズを有する模型眼に光学部が挿入されるときに、−２．５ジオプトリ〜０ジオプトリ（Ｄ）の範囲内の少なくとも９９％の物体のバージェンスに、位相反転なく変調伝達関数（ＭＴＦ）を与えるように成形される、実施例１１８に記載のレンズ対。
１２０．  第２レンズの前面と後面とは、４ミリメートル〜６ミリメートルの開口サイズを有する模型眼に光学部が挿入されるときに、−２．５ジオプトリ〜０ジオプトリ（Ｄ）の範囲内の１００％の物体のバージェンスに、位相反転なく変調伝達関数（ＭＴＦ）を与えるように成形される、実施例１１９に記載のレンズ対。
１２１．  ヒトの眼にインプラントされるように構成されたレンズであって、該レンズは、
透明材料を含み、それぞれが表面頂点を有する前面と後面とを有し、且つ表面頂点を通過する光軸を有する光学部を含み、
前面と後面との少なくとも１つは第１部分と第２部分とを有する表面を含み、第１部分は光軸を中心に配置され、且つ延長被写界深度を与えるように構成され、第２部分は第１部分を包囲し、第１部分とは異なる表面プロファイルを有し、且つ第１部分と比較して、遠距離での向上された視力特性メトリック（ｖｉｓｉｏｎ  ｑｕａｌｉｔｙ  ｍｅｔｒｉｃ）を提供するように構成された、レンズ。
１２２．  第２部分を包囲し、且つ第２部分とは異なる表面プロファイルを有する第３部分をさらに含む、実施例１２１に記載のレンズ。
１２３．  第３部分は第１部分に類似する表面プロファイルを有する、実施例１２２に記載のレンズ。
１２４．  第２部分は、第３部分と比較して、遠距離での向上された視力特性メトリックを提供するように構成された、実施例１２１〜１２３のいずれかに記載のレンズ。
１２５．  向上された視力特性メトリックは、変調伝達関数、コントラスト感度、それらのから派生する指標、又はそれらの組合せである、実施例１２１〜１２４のいずれかに記載のレンズ。
１２６．  第１部分は、光軸からの半径距離の非球面高次関数を含む包絡線の摂動によってオフセットされた円錐、双円錐、又は双非球面包絡線を含む形状を有する、実施例１２１〜１２５のいずれかに記載のレンズ。
１２７．  ヒトの眼にインプラントされるように構成されたレンズであって、該レンズは、
透明材料を含み、それぞれが表面頂点を有する前面と後面とを有し、且つ表面頂点を通過する光軸を有する光学部を含み、
前面と後面との少なくとも１つは第１部分と第２部分とを有する表面を含み、第１部分は光軸からの半径距離の非球面高次関数を含む包絡線の摂動によってオフセットされた円錐、双円錐、又は双非球面包絡線を含む形状を有し、第２部分は光軸からの半径距離の非球面高次関数を含む包絡線の摂動によってオフセットされない円錐、双円錐、又は双非球面包絡線を含む形状を有する、レンズ。
１２８．  第１部分は光軸を中心に配置され、第２部分は第１部分を包囲する、実施例１２７に記載のレンズ。
１２９．  第２部分を包囲し、且つ光軸からの半径距離の非球面高次関数を含む包絡線の摂動によってオフセットされた円錐、双円錐、又は双非球面包絡線を含む形状を有する第３部分をさらに含む、実施例１２７又は１２８に記載のレンズ。
１３０．  第３部分は、第１部分と実質的に同じである、光軸からの半径距離の非球面高次関数を含む包絡線の摂動によってオフセットされた円錐、双円錐、又は双非球面包絡線を有する、実施例１２９に記載のレンズ。
１３１．  ヒトの眼にインプラントされるように構成されたレンズであって、該レンズは、
透明材料を含み、それぞれが表面頂点を有する前面と後面とを有し、且つ表面頂点を通過する光軸を有する光学部を含み、
前面と後面との少なくとも１つは第１部分と第２部分とを有する表面を含み、第１部分は光軸を中心に配置され、且つ延長被写界深度を与えるように第２部分よりも高く球面収差を制御し、第２部分は第１部分を包囲する、レンズ。
１３２．  第２部分を包囲して、且つ延長被写界深度を与えるように第２部分よりも高く球面収差を制御する第３部分をさらに有する、実施例１３１に記載のレンズ。
１３３．  第３部分は、第１部分と実質的に同じに球面収差を制御する、実施例１３２に記載のレンズ。
１３４．  第１部分は、光軸からの半径距離の非球面高次関数を含む包絡線からの摂動によってオフセットされた円錐、双円錐、又は双非球面包絡線を含む形状を有する、実施例１３１〜１３３のいずれかに記載のレンズ。
１３５．  第３部分は、光軸からの半径距離の非球面高次関数を含む包絡線からの摂動によってオフセットされた円錐、双円錐、又は双非球面包絡線を含む形状を有する、実施例１２２〜１２６のいずれか又は実施例１３２〜１３４のいずれかに記載のレンズ。
１３６．  非球面高次関数は２次項ａ２ｒ２を含み、ａ２は係数であり、ｒは光軸からの半径距離である、実施例１２６〜１３０のいずれか又は実施例１３４〜１３５のいずれかに記載のレンズ。
１３７．  非球面高次関数は４次項ａ４ｒ４を含み、ａ４は係数であり、ｒは光軸からの半径距離である、実施例１２６〜１３０のいずれか又は実施例１３４〜１３６のいずれかに記載のレンズ。
１３８．  非球面高次関数は６次項ａ６ｒ６を含み、ａ６は係数であり、ｒは光軸からの半径距離である、実施例１２６〜１３０のいずれか又は実施例１３４〜１３７のいずれかに記載のレンズ。
１３９．  非球面高次関数は８次項ａ８ｒ８を含み、ａ８は係数であり、ｒは光軸からの半径距離である、実施例１２６〜１３０のいずれか又は実施例１３４〜１３８のいずれかに記載のレンズ。
１４０．  非球面高次関数は少なくとも１つの偶数次項ａ２ｎｒ２ｎを含み、ｎは整数であり、ａ２ｎは係数であり、ｒは光軸からの半径距離である、実施例１２６〜１３０のいずれか又は実施例１３４〜１３９のいずれかに記載のレンズ。
１４１．  第１部分と第２部分との間で不連続性のない滑らかな移行をおこなう移行部分をさらに含む、実施例１２１〜１４０のいずれかに記載のレンズ。
１４２．  移行部分は、約０．１ｍｍ〜１ｍｍの範囲の、内径と外径との距離を有する、実施例１４１に記載のレンズ。
１４３．  第１部分は約２．５ｍｍ〜４．５ｍｍの範囲の最大断面径を有する、実施例１２１〜１４２のいずれかに記載のレンズ。
１４４．  第１部分は約３．７５ｍｍの最大断面径を有する、実施例１４３に記載のレンズ。
１４５．  第２部分は、約１ｍｍ〜３．５ｍｍの範囲の、内径と外径との距離を有する、実施例１２１〜１４４のいずれかに記載のレンズ。
１４６．  第２部分は、約０．２５ｍｍ〜１．５ｍｍの範囲の、内径と外径との距離を有する、実施例１２２〜１２６のいずれか、実施例１２９〜１３０のいずれか、又は実施例１３２〜１３３のいずれかに記載のレンズ。
１４７．  光学部は、光軸に沿って約１００ミクロン〜７００ミクロンの範囲の厚みを有する、実施例１２１〜１４６のいずれかに記載のレンズ。
１４８．  インプラントされたときに光学部を眼に付けるために光学部に配置された少なくとも１つのハプティックをさらに含む、実施例１２１〜１４７のいずれかに記載のレンズ。
１４９．  前面は、第１部分と第２部分とを有する表面を含む、実施例１２１〜１４８のいずれかに記載のレンズ。
１５０．  後面は、双円錐包絡線を有する形状を含む、実施例１２１〜１４９のいずれかに記載のレンズ。
１５１．  ヒトの眼にインプラントされるように構成されたレンズであって、該レンズは、
透明材料を含み、それぞれが表面頂点を有する前面と後面とを有し、且つ表面頂点を通過する光軸を有する光学部を含み、
前面と後面との少なくとも１つは第１部分と第２部分とを有する表面を含み、第１部分は光軸を中心に配置されて、延長被写界深度を与えるように構成され、第２部分は第１部分を包囲して、単焦点遠距離焦点調節を行うように構成された、レンズ。
１５２．  第２部分を包囲して、延長被写界深度を与えるように構成された第３部分をさらに含む、実施例１５１に記載のレンズ。
１５３．  第１部分は、光軸からの半径距離の非球面高次関数を含む包絡線の摂動によってオフセットされた円錐、双円錐、又は双非球面包絡線を含む形状を有する、実施例１５１又は１５２に記載のレンズ。
１５４．  第３部分は、光軸からの半径距離の非球面高次関数を含む包絡線の摂動によってオフセットされた円錐、双円錐、又は双非球面包絡線を含む形状を有する、実施例１５１〜１５３のいずれかに記載のレンズ。
１５５．  距離には無限遠から２メートルの間の物体が含まれる、実施例１２１〜１２５のいずれかに記載のレンズ。
１５６．  距離は０Ｄバージェンスを含む、実施例１２１〜１２５のいずれかに記載のレンズ。
１５７．  第１部分と第２部分とのそれぞれは焦線（ｃａｕｓｔｉｃ）を有し、第２部分の焦線と第１部分の焦線とが滑らかに融合するように、第２部分は円錐定数を有する、実施例１２１〜１５６のいずれかに記載のレンズ。
１５８．  第２部分と第３部分とのそれぞれは焦線を有し、第２部分の焦線と第３部分の焦線とが滑らかに融合するように、第２部分は円錐定数を有する、実施例１２２〜１２３のいずれか、実施例１２９〜１３０のいずれか、実施例１３２〜１３３のいずれか、又は実施例１５２に記載のレンズ。
１５９．  第１部分と第２部分とのそれぞれは焦線を有し、第２部分が球面を含む場合よりも第２部分の焦線が第１部分の焦線と滑らかに融合するように、第２部分は円錐定数を有する、実施例１２１〜１５６のいずれかに記載のレンズ。
１６０．  第２部分と第３部分とのそれぞれは焦線を有し、第２部分が球面を含む場合よりも第２部分の焦線が第３部分の焦線と滑らかに融合するように、第２部分は円錐定数を有する、実施例１２２〜１２３のいずれか、実施例１２９〜１３０のいずれか、実施例１３２〜１３３のいずれか、又は実施例１５２に記載のレンズ。
１６１．  光学部は、光軸に沿って約７００ミクロン〜４ミリメートルの範囲の厚みを有する、実施例１２１〜１４６のいずれかに記載のレンズ。
１６２．  前面は凸状である、実施例１２１〜１６１のいずれかに記載のレンズ。
１６３．  後面は凹状である、実施例１２１〜１６１のいずれかに記載のレンズ。
１６４．  光学部がメニスカス形状であるように、前面は凸状であり、後面は凹状である、実施例１２１〜１６３のいずれかに記載のレンズ。
１６５．  後面は凸状である、実施例１２１〜１６２のいずれかに記載のレンズ。
１６６．  前面は凹状である、実施例１２１〜１６１のいずれか又は実施例１６３に記載のレンズ。
１６７．  第２部分は、光軸からの半径距離の非球面高次関数を含む包絡線の摂動によってオフセットされない円錐、双円錐、又は双非球面包絡線を含む形状を有する、実施例１２１〜１２６のいずれか、実施例１３１〜１３５のいずれか、又は実施例１５１〜１５６のいずれかに記載のレンズ。
１６８．  前面は回転対称である、実施例３９、実施例５２〜５４のいずれか、又は実施例５８に記載のレンズ。
１６９．  前面は円錐項又は双円錐項で表される形状を有する、実施例３９、実施例５２〜５４のいずれか、又は実施例５８に記載のレンズ。
１７０．  前面は円錐項又は双円錐項と非球面高次摂動項とで表される形状を有する、実施例１６９に記載のレンズ。
１７１．  後面は円錐項又は双円錐項で表される形状を有する、実施例１６８に記載のレンズ。
１７２．  円錐項又は双円錐項は０より大きい円錐定数を有する、実施例１７１に記載のレンズ。
１７３．  円錐項又は双円錐項は少なくとも１の大きさの円錐定数を有する、実施例１７２に記載のレンズ。
１７４．  円錐項又は双円錐項は少なくとも１０の大きさの円錐定数を有する、実施例１７３に記載のレンズ。
１７５．  後面は回転非対称であり、光学部の光軸を通過する異なる方向に異なる曲率を有する、実施例１６８〜１７０のいずれかに記載のレンズ。
１７６．  後面は光学部の光軸の直交方向に異なる曲率を有する、実施例１７５に記載のレンズ。
１７７．  後面は回転非対称であり、且つ双円錐項で表される形状を有する、実施例１６８〜１６９のいずれかに記載のレンズ。
１７８．  双円錐項は０より大きい円錐定数を有する、実施例１７７に記載のレンズ。
１７９．  双円錐項は少なくとも１の大きさの円錐定数を有する、実施例１７８に記載のレンズ。
１８０．  双円錐項は少なくとも１０の大きさの円錐定数を有する、実施例１７９に記載のレンズ。
１８１．  前面と後面との少なくとも１つは、第１部分と第２部分とを有する表面を含み、第１部分は光軸を中心に配置されて、延長被写界深度を与えるように構成され、第２部分は第１部分を包囲し、第１部分とは異なる表面プロファイルを有し、第１部分と比較して、遠距離での向上された視力特性メトリックを提供するように構成される、実施例１〜４７のいずれか又は実施例５２〜９６のいずれかに記載のレンズ。
１８２．  第２部分を包囲して、第２部分とは異なる表面プロファイルを有する第３部分をさらに含む、実施例１８１に記載のレンズ。
１８３．  第３部分は第１部分に類似する表面プロファイルを有する、実施例１８２に記載のレンズ。
１８４．  第２部分は、第３部分と比較して、遠距離での向上された視力特性メトリックを提供するように構成される、実施例１８１〜１８３のいずれかに記載のレンズ。
１８５．  向上された視力特性メトリックは、変調伝達関数、コントラスト感度、それらから派生する指標、又はそれらの組合せである、実施例１８１〜１８４のいずれかに記載のレンズ。
１８６．  第１部分は、光軸からの半径距離の非球面高次関数を含む包絡線の摂動によってオフセットされた円錐、双円錐、又は双非球面包絡線を含む形状を有する、実施例１８１〜１８５のいずれかに記載のレンズ。
１８７．  第２部分は、光軸からの半径距離の非球面高次関数を含む包絡線の摂動によってオフセットされない円錐、双円錐、又は双非球面包絡線を含む形状を有する、実施例１８１〜１８６のいずれかに記載のレンズ。
１８８．  第３部分は、光軸からの半径距離の非球面高次関数を含む包絡線の摂動によってオフセットされた円錐、双円錐、又は双非球面包絡線を含む形状を有する、実施例１８２〜１８３のいずれかに記載のレンズ。
１８９．  実施例１〜４７のいずれか、実施例５２〜８７のいずれか、実施例９０〜９６のいずれか、又は実施例１２１〜１８８のいずれかに記載のレンズを形成するステップを含む、ヒトの眼にインプラントされるように構成されたレンズを製造する方法。
１９０．  実施例４８〜５１のいずれか、又は実施例９７〜１２０のいずれかに記載のレンズ対を形成するステップを含む、ヒトの左右の眼にインプラントされるように構成されたレンズ対を製造する方法。
１９１．  ヒトの眼にインプラントされるように構成されたレンズであって、該レンズは、
透明材料を含むとともに、それぞれが表面頂点を有する前面と後面と、表面頂点を通過する光軸とを有する光学部と、
インプラントされたときに光学部を眼に付けるために光学部に配置された少なくとも１つのハプティックと、を含み、
前面と後面とは非球面を含み、後面は、光軸からの半径距離の非球面高次関数を含む摂動によってオフセットされた双円錐を含む非球面形状を有するとともに、０〜１００である比率Ｒｘ／Ｒｙの絶対値と、０〜１００である比率ｋｘ／ｋｙの絶対値とを有する、レンズ。
１９２．  比率Ｒｘ／Ｒｙの絶対値は０〜７５である、実施例１９１に記載のレンズ。
１９３．  比率Ｒｘ／Ｒｙの絶対値は０〜５０である、実施例１９２に記載のレンズ。
１９４．  比率Ｒｘ／Ｒｙの絶対値は０〜２５である、実施例１９３に記載のレンズ。
１９５．  比率Ｒｘ／Ｒｙの絶対値は０〜１０である、実施例１９４に記載のレンズ。
１９６．  比率ｋｘ／ｋｙの絶対値は０〜７５である、実施例１９１〜１９５のいずれかに記載のレンズ。
１９７．  比率ｋｘ／ｋｙの絶対値は０〜５０である、実施例１９６に記載のレンズ。
１９８．  比率ｋｘ／ｋｙの絶対値は０〜２５である、実施例１９７に記載のレンズ。
１９９．  比率ｋｘ／ｋｙの絶対値は０〜１０である、実施例１９８に記載のレンズ。
２００．  ヒトの眼にインプラントされるように構成されたレンズであって、
該レンズは、透明材料を含むとともに、前面と後面とを有する光学部を含み、
前面又は後面は非球面を含み、前面と後面とは、４ミリメートル〜６ミリメートルの開口サイズを有するヒトの眼に光学部を挿入するとき、０〜＋１．５ジオプトリ（Ｄ）の範囲内の少なくとも９０％の物体のバージェンスに、少なくとも０．６であるサルバドール画質（Ｓａｌｖａｄｏｒ  Ｉｍａｇｅ  Ｑｕａｌｉｔｙ、ＳＩＱ）メトリックを与えるように成形される、レンズ。
２０１．  前面と後面とは、０〜＋１．５ジオプトリ（Ｄ）の範囲内の少なくとも９５％の物体のバージェンスに、少なくとも０．６であるＳＩＱメトリックを与えるように成形される、実施例２００に記載のレンズ。
２０２．  前面と後面とは、０〜＋１．５ジオプトリ（Ｄ）の範囲内の少なくとも９８％の物体のバージェンスに、少なくとも０．６であるＳＩＱメトリックを与えるように成形される、実施例２０１に記載のレンズ。
２０３．  前面と後面とは、０〜＋２．５ジオプトリ（Ｄ）の範囲内の少なくとも９８％の物体のバージェンスに、少なくとも０．６であるＳＩＱメトリックを与えるように成形される、実施例２０２に記載のレンズ。
２０４．  ヒトの眼にインプラントされるように構成されたレンズであって、
該レンズは、透明材料を含むとともに、前面と後面とを有する光学部を含み、
前面又は後面は非球面を含み、前面と後面とは、４ミリメートル〜６ミリメートルの開口サイズを有するヒトの眼又は４ミリメートル〜６ミリメートルの開口サイズを有する模型眼に光学部を挿入するとき、０〜＋１．５ジオプトリ（Ｄ）の範囲内の少なくとも９０％の物体のバージェンスに、平均を超える精神物理学的グレードを与えるように成形される、レンズ。
２０５．  前面と後面とは、０〜＋１．５ジオプトリ（Ｄ）の範囲内の少なくとも９５％の物体のバージェンスに、平均を超える精神物理学的グレードを与えるように成形される、実施例２０４に記載のレンズ。
２０６．  前面と後面とは、０〜＋１．５ジオプトリ（Ｄ）の範囲内の少なくとも９８％の物体のバージェンスに、平均を超える精神物理学的グレードを与えるように成形される、実施例２０５に記載のレンズ。
２０７．  前面と後面とは、０〜＋２．５ジオプトリ（Ｄ）の範囲内の少なくとも９８％の物体のバージェンスに、平均を超える精神物理学的グレードを与えるように成形される、実施例２０６に記載のレンズ。
２０８．  開口サイズは６ミリメートルである、実施例２００〜２０７のいずれかに記載のレンズ。
２０９．  前面と後面とのぞれぞれは表面頂点を有し、光学部は表面頂点を通過する光軸を有し、
前面又は後面は、光軸からの半径距離の非球面高次関数を含む摂動によってオフセットされた双円錐を含む非球面形状を有する、実施例２００〜２０８のいずれかに記載のレンズ。
２１０．  光学部は射出瞳を含み、
前面と後面とは、０ジオプトリ〜２．５ジオプトリ（Ｄ）の物体のバージェンスについて、光学部の射出瞳の波面にΦ（ｒ）＝ａ＋ｂｒ２＋ｃｒ４＋ｄｒ６＋ｅｒ８によって表される放射パワー（ｒａｄｉａｌ  ｐｏｗｅｒ）プロファイルを提供するように成形され、ｒは光軸からの半径距離であり、ａ、ｂ、ｃ、ｄ、及びｅは係数である、実施例１９１〜１９９のいずれか又は実施例２０９に記載のレンズ。
２１１．  光軸に沿う厚みは約１００マイクロメートル〜７００マイクロメートルである、実施例１９１〜１９９のいずれか又は実施例２０９〜２１０のいずれかに記載のレンズ。
２１２．  光学部がメニスカス形状であるように、前面は凸状であり、後面は凹状である、実施例１〜２１１のいずれかに記載のレンズ。
２１３．  比率Ｒｘ／Ｒｙの絶対値は０.１〜１０である、実施例１９１に記載のレンズ。
２１４．  比率Ｒｘ／Ｒｙの絶対値は０.２〜１０である、実施例２１３に記載のレンズ。
２１５．  比率Ｒｘ／Ｒｙの絶対値は０.２５〜１０である、実施例２１４に記載のレンズ。
２１６．  比率Ｒｘ／Ｒｙの絶対値は０.５〜１０である、実施例２１５に記載のレンズ。
２１７．  比率ｋｘ／ｋｙの絶対値は０.１〜１０である、実施例１９１〜１９５のいずれか又は実施例２１３〜２１６のいずれかに記載のレンズ。
２１８．  比率ｋｘ／ｋｙの絶対値は０.２〜１０である、実施例２１７のいずれかに記載のレンズ。
２１９．  比率ｋｘ／ｋｙの絶対値は０.２５〜１０である、実施例２１８のいずれかに記載のレンズ。
２２０．  比率ｋｘ／ｋｙの絶対値は０.５〜１０である、実施例２１９のいずれかに記載のレンズ。
【図面の簡単な説明】
【００５６】
【図１】図１は、ヒトの眼の概略図を示す。
【図２】図２は、本明細書に記載の所定の実施形態における例示のレンズを示す。
【図３Ａ】図３Ａは、目にインプラントされた、本明細書に記載の所定の実施形態における例示のレンズ２００の超音波検査図を示す。
【図３Ｂ】図３Ｂは、図２に示す例示のレンズの側面断面図を示す。
【図４】図４は、図２に示されるレンズの光学部の側面断面概略図を示す。
【図５Ａ】図５Ａは、例示の正メニスカス光学部の概略図を示す。
【図５Ｂ】図５Ｂは、例示の負メニスカス光学部の概略図を示す。
【図６Ａ】図６Ａは、物体空間における被写界深度と、イメージ空間における焦点深度とを概略的に示す。
【図６Ｂ】図６Ｂは、イメージ焦線と錯乱円とを概略的に示す。
【図６Ｃ】図６Ｃは、標準的な球面レンズと理想的な過焦点眼とのデフォーカス曲線を概略的に示す。
【図６Ｄ】図６Ｄは、本明細書に記載の所定の実施形態におけるレンズの評価及び設計を行うための例示モデルを概略的に示す。
【図７Ａ】図７Ａは、延長被写界深度を与えるように構成された第１部分と、遠見視力を向上させるように構成された第２部分とを有する例示の光学部の前面及び／又は後面の概略図である。
【図７Ｂ】図７Ｂは、延長被写界深度を与えるように構成された第１部分と、遠見視力を向上させるように構成された第２部分とを有する例示の光学部の前面及び／又は後面の概略図である。
【図８Ａ】図８Ａは、延長被写界深度を与えるように構成された第１部分と、遠見視力を向上させるように構成された第２部分とを有する他の例示の光学部の前面及び／又は後面の概略図である。
【図８Ｂ】図８Ｂは、延長被写界深度を与えるように構成された第１部分と、遠見視力を向上させるように構成された第２部分とを有する他の例示の光学部の前面及び／又は後面の概略図である。
【発明を実施するための形態】
【００５７】
近視（近眼）、遠視（遠眼）、及び乱視などの視覚の状態は眼鏡やコンタクトレンズを使用して矯正されている。例えばレーザーによる原位置での角膜切削形成術（レーシック）などの手術法は、眼鏡やコンタクトレンズの不自由さに対処するため、より一般的なものとなっている。レーシックでは、レーザーを用いて角膜にフラップを切り、下の組織にアクセスして、角膜の形状を変化させる。さらに、眼内レンズ（ｉｎｔｒａｏｃｕｌａｒ  ｌｅｎｓ、ＩＯＬ）は、近視や白内障（目の天然水晶体のくもり）の処置に利用するために、水晶体嚢内に固定されるように構成された偽水晶体レンズで天然レンズを置き換えて用いられている。
【００５８】
視力の問題を処置する他の方法として有水晶体ＩＯＬを用いるものがある。有水晶体ＩＯＬは、天然水晶体を取り除くことなく眼にインプラントされる透明レンズである。つまり、有水晶体ＩＯＬは角膜や水晶体と共に、網膜に物体をイメージングする光学パワーを与える（対照的に、偽水晶体ＩＯＬは、例えば上述のような白内障を処置するためにくもった天然レンズを除いた後、天然レンズを置き換えて眼にインプラントされるレンズである）。有水晶体ＩＯＬのインプラントは、近視、遠視、及び乱視を矯正するために用いられ、患者を眼鏡やコンタクトの不自由さから解放し得るものである。また有水晶体ＩＯＬは、取り外されて目の光学部を自然な状態に戻すか、又は、置き換えられて視力矯正の変更若しくは眼の改善の必要性に対応することが可能である。
【００５９】
ひとは加齢とともに老視（近くの物体に焦点を合わせられない）を発症し、これは、近くにある物体に適応することができなくなって失われた屈折力をさらに得るために老眼鏡で対応されている。近遠方視に個々の焦点を与える多焦点コンタクトレンズやＩＯＬも使われているが、患者の視野にコントラスト感度の欠如や同軸のゴースト像があることから、こうした方法は限定的に受け入れられている。
【００６０】
本明細書に記載の所定の実施形態において、延長被写界深度と視力向上を伴う、近視、遠視、乱視、白内障、及び／又は老視を非限定的に含むものの視力矯正のための眼科インプラントが有利に提供されることができる。種々の実施形態において、眼科インプラントは、例えばヒトである患者の眼にインプラントされるように構成されたレンズを含む。そうしたレンズは、中年人口の老視及び老視発症の処置に特に有用である。
【００６１】
所定の実施形態は有水晶体レンズインプラントを含むことができ、レンズは、角膜１１０と虹彩１１５との間などの天然水晶体１２０の前方にインプラント可能である。他の実施形態では、虹彩１１５と天然水晶体１２０との間に配置されるように構成される。いくつかの例示的実施形態は、近視、遠視、乱視、及び／又は老視を処置するためのレンズを含む。
【００６２】
他のいくつかの実施形態は、水晶体１２０を取り除いた後、眼に、例えば水晶体嚢にインプラントされる偽水晶体レンズを含むことができる。上述のように、偽水晶体レンズは、白内障処置や屈折矯正をおこなうために使用可能である。
【００６３】
図２は、本明細書に記載の種々の実施形態における例示のレンズ２００である。レンズ２００は光学領域又は光学部２０１を含むことができる。光学部２０１は、レンズ２００が受け取った光を、例えば屈折させるなど、伝達して焦点を合わせる。本明細書により詳細に記載されるように、光学部２０１は、光を屈折させて焦点を合わせるとともに、被写界深度と視力とを向上させるように設計された、光学部２０１の１以上の表面における表面形状を含むことができる。例として、いくつかの実施形態において、光学部２０１表面の表面形状は、光学部２０１が、網膜において、広範囲の物体のバージェンスについて（例として、少なくとも約０〜約２．５ジオプトリの範囲内のバージェンス、一部の適用において、少なくとも約０ジオプトリ〜少なくとも約１．８、１．９、２．０、２．１、２．２、２．３、２．４、２．５、２．６、２．７、２．８、２．９、若しくは３．０ジオプトリ、又は場合により少なくとも約０．１、０．２、０．３、０．４、０．５、０．６、若しくは０．７ジオプトリ〜少なくとも約２．５、２．６、２．７、２．８、２．９、若しくは３．０ジオプトリ）、例えば２０／２０視力である高視力を得るために連続的に光の焦点を合わせて、被写界深度を深くすることができるように設計可能である。さらに、一部の実施形態において、光学部２０１表面の表面形状は、ゴースト像の存在を減少させるためにイメージが実質的に同軸であるとともに実質的に同様の大きさであるように設計可能である。
【００６４】
図２に示されるように、例示のレンズ２００はハプティック２０５も含むことができる。いくつかの実施形態において、ハプティック２０５は、レンズ２００を眼内で安定させるため及びレンズ２００を眼に付けるために、１以上のハプティック又はハプティック部２０５ａ、２０５ｂ、２０５ｃ、及び２０５ｄを包含することができる。例として、図２において、ハプティック部２０５ａ、２０５ｂ、２０５ｃ、及び２０５ｄは、インプラントされたときに光学部２０１を眼に付けるために光学部２０１の周りに配置される。所定の実施形態において、ハプティック部２０５ａ、２０５ｂ、２０５ｃ、及び２０５ｄは、光学部２０１の光軸が眼の中心光軸に沿って配置されるようにして、光学部２０１を眼内で安定させるように構成される。そうした実施形態において、眼内の光学部２０１の波面の安定性は、ハプティック部２０５ａ、２０５ｂ、２０５ｃ、及び２０５ｄによって得られる。種々の実施形態において、レンズ及び特にハプティックは、水晶体嚢の外側に、例えば有水晶体ＩＯＬ設計のように天然レンズの前方に、インプラントされるように構成される。上述のように、有水晶体ＩＯＬインプラントは虹彩と天然レンズとの間にインプラントされるように構成されることができる。ゆえに、所定の実施形態において、光学部２０１がハプティック部２０５ａ〜２０５ｄ間の接触点の位置の前方位置で眼の中心光軸に沿って配置されるように、ハプティック２０５は湾曲される。この構成は、有水晶体眼内の光学部２０１と天然レンズとの間のすきまを大きくし、眼の調節時に天然レンズが収縮する。いくつかの場合に、ハプティック２０５は、インプラントされると、天然レンズ前面と光学部２０１後面との間の接触を低減、最小化、又は防止する天然レンズとの最小のすきまを得るように構成される。一部の材料では、光学部２０１と天然レンズ前面との間の接触は許容される。いくつかの実施形態において、レンズ２００は瞳孔、又は虹彩１１５の開口部にインプラントされることができ、配置されると、ハプティック部２０５ａ、２０５ｂ、２０５ｃ、及び２０５ｄは虹彩１１５の下方に配置されることができる。図２に示されるハプティック２０５は、延長された角部の形状の４つのハプティック部２０５ａ、２０５ｂ、２０５ｃ、及び２０５ｄを含むが、ハプティック又はハプティック部の形状、サイズ、及び数は特に限定されない。
【００６５】
種々の適用において、例えば、レンズは、天然レンズを取り除いた後に水晶体嚢内にインプラントされるように構成される。そうした偽水晶体レンズは、インプラント後に水晶体嚢内で配置と向きとを確実にするために適切な形状、サイズ、及び／又は数のハプティックを含むとよい。図３Ａは、眼にインプラントされた、本明細書に記載の所定の実施形態の例示のレンズ２００の超音波検査図である。
【００６６】
光学部２０１は透明材料を含むことができる。例えば、透明材料はコラーゲンコポリマー材料、ヒドロゲル、シリコン、及び／又はアクリルを含むことができる。いくつかの実施形態において、透明材料は疎水性材料を含むことができる。他の実施形態において、透明材料は親水性材料を含むことができる。その他の既知の、又はまだ開発されていない材料を光学部２０１に使用することができる。
【００６７】
光学部２０１の所定の実施形態は、例えば、カリフォルニア州、モンロビアのＳＴＡＡＲ（登録商標）サージカルカンパニーによるコラマー（Ｃｏｌｌａｍｅｒ）（登録商標）ＩＯＬに使用される材料と同様の、コラーゲンコポリマー材料を有利に含み得る。例示されるコラーゲンコポリマー材料は、ヒドロキシエチルメタクリレート（ＨＥＭＡ）／ブタコラーゲン由来生体適合性ポリマー材料である。コラーゲンコポリマー材料はヒト水晶体のものと類似する特徴を有し得るので、本明細書に記載のレンズの所定の実施形態を、天然レンズと光学的に同様に実施することができる。例として、いくつかの実施形態において、反射防止特性と約４０％の含水量のため、コラーゲンコポリマー材料製のレンズ２００は、ヒト天然水晶体と同様に光を透過可能である。眼内ではあまり光が反射されず、より鮮鋭で明瞭な視覚がもたらされ、その他のレンズ材料製のレンズと比較して、グレア、ハロ、又は夜間視力低下の発生が低減される。
【００６８】
コラーゲンコポリマー材料製のレンズ２００のいくつかの実施形態において、レンズ２００は可撓性であり、容易に眼内にインプラントすることができる。さらに、コラーゲンコポリマー材料はコラーゲンで作製されるので、レンズ２００の種々の実施形態は眼に対して生体適合性がある。いくつかの実施形態において、レンズ２００は、眼に自然に見い出だされる物質であるフィブロネクチンを引き付けることができる。フィブロネクチン層はレンズ２００周りに形成され、レンズ２００への白血球接着を抑制する。フィブロネクチンのコーティングは、レンズ２００が異物であるとされることを退ける助けとなる。さらに、含有されるコラーゲンのように、レンズ２００の種々の実施形態はわずかな負電荷を帯び得る。眼のタンパク質も負電荷を帯びていることから、これら２つの負の力がレンズ２００の境界沿いで出会うと、電荷反発がレンズ２００からタンパク質を押し離すことに寄与し得る。そのように、レンズ２００は自然にそれ自体を清浄で明瞭に保つことができる。
【００６９】
さらに、いくつかの実施形態において、レンズ２００は紫外線（ＵＶ）ブロッカーを包含することができる。そうしたブロッカーは、害のあるＵＶＡやＵＶＢ線が眼に進入することを防ぐ助けとなり得る。つまり、所定の実施形態はＵＶ関連眼疾患の発症防止に寄与し得るものである。
【００７０】
いくつかの実施形態において、ハプティック２０５（又は１以上のハプティック部２０５ａ、２０５ｂ、２０５ｃ、及び２０５ｄ）も、光学部２０１と同様の材料製であり得る。例として、ハプティック２０５はコラーゲンポリマー、ヒドロゲル、シリコン、及び／又はアクリル製であり得る。いくつかの実施形態において、ハプティック２０５は疎水性材料を含むことができる。他の実施形態において、ハプティック２０５は親水性材料を含むことができる。その他の既知の、又はまだ開発されていない材料もハプティック２０５に使用可能である。
【００７１】
レンズ２００は、ダイヤモンド旋削、モールディング、又は当該分野において既知の、若しくはまだ開発されていない他の技術によって製造可能である。コラーゲンコポリマー材料で製造したレンズ２００のいくつかの実施形態において、レンズ２００は乾燥状態で機械加工され、次にレンズ２００を安定化するために水和反応が行われる。類似の手法が他の材料についても用いられ得る。
【００７２】
図３Ｂは、図２に示す例示のレンズ２００の側面断面図であり、図４は、レンズ２００の光学部２０１の側面断面概略図である。光学部２０１には前面２０１ａと後面２０１ｂとがある。光学部２０１にはまた、レンズの光軸が通過する中心と、光軸に沿う中心における厚みＴｃとがある。光軸は前面２０１ａと後面２０１ｂとの表面頂点を通過する。光学部２０１の正確なサイズは、患者の瞳孔サイズ、レンズ２００の材料、及び患者の処方に対応することができる。いくつかの実施形態において、例えば、有水晶体レンズについて、光学部２０１中心の厚みＴｃは比較的薄く作製することができる。例として、光学部２０１中心の厚みＴｃは、約１００〜約７００マイクロメートル、約１００〜約６００マイクロメートル、約１００〜約５００マイクロメートル、約１００〜約４００マイクロメートル、約１００〜約３００マイクロメートル、又は約１００〜約２００マイクロメートルであり得、レンズ２００は、患者や他の人には比較的気づかれにくいものであり得る。より薄いレンズにより、例えば角膜等の目の組織を介するレンズ挿入工程が簡易化される。例として、光学部は、約１１０、１１５、１２０、１３０、１４０、若しくは１５０、〜約２００、３００、若しくは４００マイクロメートルの光軸沿いの厚み、これらの厚みの任意のものの任意の値、又はこれらの厚みの任意のものにより構成される任意の範囲を有し得る。故に、光学部２０１中心の厚みＴｃは、上述の値のうちの任意の厚みであり得、例えば、１００マイクロメートル、１１０マイクロメートル、１１５マイクロメートル、１２０マイクロメートル、１３０マイクロメートル、１４０マイクロメートル、１５０マイクロメートル、２００マイクロメートル、２５０マイクロメートル、３００マイクロメートル、３５０マイクロメートル、４００マイクロメートル、４５０マイクロメートル、５００マイクロメートル、５５０マイクロメートル、６００マイクロメートル、６５０マイクロメートル，又は７００マイクロメートルのいずれかの間の範囲の厚みであり得る。
【００７３】
他のいくつかの実施形態において、例えば、レンズ２０１が天然水晶体を置き換える偽水晶体レンズについて、光学部２０１中心の厚みＴｃは有水晶体レンズのものより厚くでき、例として、約７００マイクロメートル〜約４ｍｍ、約７００マイクロメートル〜約３ｍｍ、約７００マイクロメートル〜約２ｍｍ、約７００マイクロメートル〜約１ｍｍ、そうした範囲の任意の値、又はこれらの範囲の任意の値により構成される任意の範囲が挙げられる。例として、光学部２０１中心の厚みＴｃは、約７００マイクロメートル、約８００マイクロメートル、約９００マイクロメートル、約１ミリメートル、約１．５ミリメートル、約２ミリメートル、約２．５ミリメートル、約３ミリメートル、約３．５ミリメートル、若しくは約４ミリメートル、又はそれらの間の範囲であり得る。しかしながら、偽水晶体レンズについても、レンズにより小さい厚みＴｃ、例えば約３００マイクロメートル〜７００マイクロメートルの厚みを採用することができ、例として、３００マイクロメートル、４００マイクロメートル、５００マイクロメートル、６００マイクロメートル、若しくは７００マイクロメートル、又は３００〜４００マイクロメートル、４００〜５００マイクロメートル、５００〜６００マイクロメートルなど、それらの間の任意の範囲であり得る。
【００７４】
本明細書に記載の所定の実施形態によると、光学部２０１がメニスカス形状であるように、前面２０１ａは凸状であり、後面２０１ｂは凹状である。図５Ａと図５Ｂとは、メニスカス形状の光学部２０１の例示の側面断面図である。メニスカス形状光学部２０１は、例えば有水晶体レンズに用いられるときに非常に有利であり得る。例として、虹彩の後方（又は後部）、且つ天然レンズの前方（又は前部）にインプラントされるとき、凸状である光学部２０１の前面２０１ａは、該表面２０１ａに隣接する虹彩の摩擦を防ぐのに有用であり得、凹状である光学部２０１の後面２０１ｂは、例えば白内障をもたらし得る、該表面２０１ｂに隣接する天然レンズの損傷を防ぐのに有用であり得る。
【００７５】
メニスカス形状光学部は正又は負のいずれかとして特徴づけられ得る。図５Ａに示されるように、正メニスカス光学部３０１は、凹状面３０１ｂよりも急勾配の曲線である凸状面３０１ａを有し、端部Ｔｅよりも（光軸が通過する）中心Ｔｃにおいて厚みが大きい。対照的に、図５Ｂに示されるように、負メニスカス光学部４０１は、凸状面４０１ａよりも急勾配の曲線である凹状面４０１ｂを有し、中心Ｔｃよりも端部Ｔｅにおいて厚みが大きい。所定の実施形態において、正メニスカス光学部は遠視を処置するために用いられ得る一方で、他の実施形態において、負メニスカス光学部は近視を処置するために用いられ得る。
【００７６】
種々の実施形態において、光学部２０１はメニスカス形状ではない。例として、一部の実施形態において、光学部２０１が平凹状であるように、前面２０１ａは実質的に平面であり、後面２０１ｂは凹状である。他の実施形態において、前面２０１ａと後面２０１ｂとは光学部２０１が両凹状であるように凹状である。さらなる実施形態において、光学部２０１が平凸状であるように、前面２０１ａは凸状であり、後面２０１ｂは実質的に平面である。よりさらなる実施形態において、前面２０１ａと後面２０１ｂとは光学部が両凸状であるように凸状である。
【００７７】
所定の実施形態において、光学部２０１の前面２０１ａ及び／又は後面２０１ｂは、非球面を含むことができる。例として、光学部２０１の前面２０１ａ及び／又は後面２０１ｂは、球形の一部ではない表面形状を含むことができる。種々の実施形態において、前面２０１ａ及び／又は後面２０１ｂは回転対称であり得る。例として、非球面形状の表面プロファイル又はサグは少なくとも円錐項を含み得る。円錐項は、
【数１】
2019507663.tif 000003
として与えられ得、ｃは表面の曲率（又は半径の逆数）、ｋは円錐定数、及びｒは表面頂点からの半径距離である。
【００７８】
いくつかの実施形態において、非球面形状は、例えば表面頂点からの半径距離の高次関数を含む摂動によりオフセットされた円錐を含み得る。このように、非球面形状のサグは円錐項と表面頂点からの半径距離の高次関数とを含み得る。高次関数は、円錐項からの非球面摂動を記述することができる。いくつかの実施形態において、高次関数は、少なくとも１つの偶数次項ａ２ｎｒ２ｎを含むことができ、ｎは整数、ａ２ｎは係数、ｒは表面頂点からの半径距離である。例として、非球面形状は、円錐項と、（例えば偶数次非球面を与える）偶数乗多項式項とを用いて、
【数２】
2019507663.tif 000004
として与えられ得る。
【００７９】
例示の数２に見受けられ得るように、高次関数は、少なくとも２次項（ａ２ｒ２）、４次項（ａ４ｒ４）、６次項（ａ６ｒ６）、及び／又は８次項（ａ８ｒ８）を含むことができる。いくつかの実施形態において、高次関数は、１以上の奇数次項を含むことができる。例として、高次関数は奇数次項のみ又は偶数次項と奇数次項との組合せを含むことができる。
【００８０】
数２においても見受けられるように、表面形状は円錐定数ｋに対応するものであり得る。円錐定数ｋ＝０の場合、表面は球形である。このようにいくつかの実施形態において、ｋは少なくとも０の大きさを有して、│ｋ│≧０となる。いくつかの実施形態においてｋは０よりも大きく、│ｋ│＞０となる。種々の実施形態において、ｋは少なくとも１の大きさを有して、│ｋ│≧１となる。いくつかの実施形態において、│ｋ│≧２、│ｋ│≧３、│ｋ│≧５、│ｋ│≧７、又は│ｋ│≧１０である。例として、ｋ≦−１、ｋ≦−２、ｋ≦−３、ｋ≦−５、ｋ≦−７、ｋ≦−１０である。ゆえに、種々の実施形態において、表面は双曲線形状である。しかしながら、所定の実施形態において、円錐定数の大きさは、例えば０≦│ｋ│≦１など、１より小さいとよい。
【００８１】
種々の実施形態において、前面２０１ａ及び／又は後面２０１ｂは回転非対称であり得、光学部２０１の中心及び／又は光軸を通過する種々の方向に異なる曲率を有することができる。例として前面２０１ａ及び／又は後面２０１ｂは、光学部２０１中心の直交方向に異なる曲率を有することができる。そうした所定の実施形態は、種々の方向（経線）の矯正が望まれる乱視の処置に有利であり得る。
【００８２】
一部の実施形態において、回転非対称表面のサグは少なくとも双円錐項を含むことができる。双円錐面は、ｘ方向とｙ方向とに異なる円錐定数ｋ及び半径を有するトロイダル面と類似し得る。双円錐項は、
【数３】
2019507663.tif 000005
として与えられることができ、ｃｘはｘ方向の表面曲率（又はｘ方向の半径の逆数）、ｃｙはｙ方向の表面曲率（又はｙ方向の半径の逆数）、ｋｘはｘ方向の円錐定数、ｋｙはｙ方向の円錐定数である。
【００８３】
いくつかの実施形態において、非球面形状は、表面頂点からの半径距離の高次関数を含む摂動によりオフセットされた双円錐を含むことができる。このように、数２と同様に、非球面形状のサグは双円錐項と高次関数とを含むことができる。高次関数は、少なくとも１つの偶数次項、例えば少なくとも２次項（ａ２ｒ２）、４次項（ａ４ｒ４）、６次項（ａ６ｒ６）、及び／又は８次項（ａ８ｒ８）を含むことができる。例として、数２と同様に、高次関数はａ２ｒ２＋ａ４ｒ４＋ａ６ｒ６＋ａ８ｒ８・・・であり得る。
【００８４】
いくつかの実施形態において、高次関数は１以上の奇数次項を含むことができる。例として、高次関数は奇数次項のみ又は偶数次項と奇数次項との組合せを含むことができる。
【００８５】
ゆえに、本明細書に記載されるように、光学部２０１の前面２０１ａ及び／又は後面２０１ｂは、（高次関数あり若しくはなしの）円錐項又は（高次関数あり若しくはなしの）双円錐項を含む形状を有することができる。
【００８６】
老視及び／又は乱視のための視力矯正の一実施例には、共に非球面を有する前面２０１ａ及び後面２０１ｂが包含される。前面２０１ａの非球面は、２次項、４次項、６次項、及び８次項を含む摂動によりオフセットされた円錐項を含む形状を有し、後面２０１ｂの非球面は双円錐項を含む形状を有する。例示の非球面前面２０１ａのサグは、
【数４】
2019507663.tif 000006
として与えられ得る。さらに、双円錐であり得る例示の後面２０１ｂのサグは、
【数５】
2019507663.tif 000007
として与えられ得、これは数３と類似する。そうしたレンズの所定の実施形態は、限定されるものではないが、メニスカスレンズであるとよい。
【００８７】
その他の実施例も可能である。所定の実施形態において、光学部２０１の特定の形状（例えば、前面の曲率、後面の曲率、円錐定数、高次関数の係数など）は患者の処方に応じたものであるとよい。
【００８８】
いくつかの実施例のように、０〜約２Ｄ円柱度数、０〜約３Ｄ円柱度数、又は０〜約４Ｄ円柱度数を伴う、約−１８Ｄ〜約６Ｄ球面度数の公称屈折力を有するレンズでは、以下の非限定的例である設計パラメータが所定の実施形態において用いられ得る。前面の半径Ｒ（例えば曲率の逆数）は、約−１００ｍｍ〜約１００ｍｍ、約−５０ｍｍ〜約５０ｍｍ、約−１０ｍｍ〜約１０ｍｍ、又は約−５ｍｍ〜約５ｍｍ、であるとよい。いくつかの実施例において、前面のＲは、約−１ｍｍ〜約１ｍｍ、又は０〜約１ｍｍであるとよい。例として、前面の半径は、０〜約１×１０−２ｍｍ、約１×１０−７〜約５×１０−３ｍｍ、約１×１０−６〜約１×１０−３ｍｍ、又は約５×１０−６〜約５×１０−４ｍｍであるとよい。
【００８９】
本明細書に記載されるように、種々の実施形態において、前面のｋは０よりも大きく、│ｋ│＞０となるとよい。いくつかの実施形態において、ｋは少なくとも１の大きさを有して、│ｋ│≧１となる。いくつかの実施形態において、│ｋ│≧２、│ｋ│≧３、│ｋ│≧５、│ｋ│≧７、又は│ｋ│≧１０である。例として、ｋ≦−１、ｋ≦−２、ｋ≦−３、ｋ≦−５、ｋ≦−７、ｋ≦−１０である。いくつかの実施形態において、ｋ＜＜−１０である。例として、いくつかの実施形態において、ｋは、約−１×１０６〜−１００、約−５×１０５〜約−５×１０４、又約−３×１０５〜約−２×１０５であるとよい。
【００９０】
つまり、種々の実施形態において、前面の円錐定数と前面の曲率半径との比率の大きさは、種々の実施形態において、１０４〜１０１４、１０６〜１０１２、１０８〜１０１１、１０９〜１０１１、１０８〜１０１０、１０９〜１０１０であるとよい。
【００９１】
種々の実施形態において、前面の２次項の係数ａ２は０〜約１であり得る。例として、ａ２は０〜約０．５、約０．００１〜約０．３、又は約０．００５〜約０．２であり得る。
【００９２】
種々の実施形態において、前面の４次項の係数ａ４は約−１〜０であり得る。例として、ａ４は約−０．１〜０、約−０．０５〜約−１×１０−４、又は約−０．０１〜約−１×１０−３であり得る。
【００９３】
種々の実施形態において、前面の６次項の係数ａ６は０〜約１であり得る。例として、ａ６は０〜約０．１、０〜約０．０１、又は約０．０００１〜約０．００１であり得る。
【００９４】
さらに、種々の実施形態において、前面の８次項の係数ａ８は約−１〜０であり得る。例として、ａ８は約−０．００１〜０、約−０．０００５〜０、又は約−０．０００１〜０であり得る。
【００９５】
また、０〜約２Ｄ円柱度数、０〜約３Ｄ円柱度数、又は０〜約４Ｄ円柱度数を伴う、約−１８Ｄ〜約６Ｄ球面度数の公称屈折力を有するレンズでは、以下の非限定的例である設計パラメータが所定の実施形態において後面に用いられることができる。ｙ方向の後面半径Ｒｙ（例えば、ｙ方向の曲率の逆数）は０〜約２０ｍｍであるとよい。例として、後面の半径Ｒｙは０〜約１５ｍｍ、約２ｍｍ〜約１３ｍｍ、又は約３ｍｍ〜約１４ｍｍ、又は約４ｍｍ〜約１０ｍｍであるとよい。
【００９６】
種々の実施形態において、後面のｋｙは、約−２０〜約２０、約−１８〜約１５、又は約−１５〜約５であるとよい。いくつかのそうした実施形態において、後面のｋｙは、必ずしも少なくとも１の大きさを有するわけではない。例としてｋｙは約−１〜約１であるとよい。種々の実施形態において、│ｋｙ│は０より大きい。
【００９７】
ｘ方向の後面半径Ｒｘ（例えば、ｘ方向の曲率の逆数）は０〜約２０ｍｍであるとよい。例として、後面の半径は０〜約１５ｍｍ、０ｍｍ〜約１２ｍｍ、又は０ｍｍ〜約１０ｍｍであるとよい。
【００９８】
種々の実施形態において、後面のｋｘは、約−２５〜０、約−２０〜０、約−１８〜０、約−１７．５〜０、又は約−１５．５〜０であるとよい。種々の実施形態において、│ｋｘ│は０より大きい。
【００９９】
所定の実施形態において、０、０．１、０．２、０．２５、若しくは０．５〜約１０Ｄ円柱度数、又はこれらの値の任意の組合せの任意の範囲（例えば、０．１〜約２Ｄ円柱度数、０．５〜約２Ｄ円柱度数、０．１〜約３Ｄ円柱度数、０．５〜約３Ｄ円柱度数、０．１〜約４Ｄ円柱度数、０．５〜約４Ｄ円柱度数、０．１〜約５Ｄ円柱度数、０．５〜約５Ｄ円柱度数、０．１〜約６Ｄ円柱度数、０．５〜約６Ｄ円柱度数、０．１〜約７Ｄ円柱度数、０．５〜約７Ｄ円柱度数、０．１〜約８Ｄ円柱度数、０．５〜約８Ｄ円柱度数、０．１〜約９Ｄ円柱度数、０．５〜約９Ｄ円柱度数、０．１〜約１０Ｄ円柱度数、０．５〜約１０Ｄ円柱度数、又はこれらの値の任意の組合せの任意の範囲）を伴う、約−１８Ｄ〜約６Ｄ球面度数の公称屈折力を有するレンズでは、後面は（高次関数あり又はなしで）双円錐項を含む形状を有することができる。一部のそうした実施形態において、０、０．１、０．２、０．２５、若しくは０．５〜１００、又はこれらの値の任意の組合せの任意の範囲（例えば、０〜１００、０．１〜１００、０．５〜１００、０〜７５、０．１〜７５、０．５〜７５、０〜５０、０．１〜５０、０．５〜５０、０〜２５、０．１〜２５、０．５〜２５、０〜１０、０．１〜１０、若しくは０．５〜１０、又はこれらの値の任意の組合せの任意の範囲）である比率Ｒｘ／Ｒｙの絶対値を有することができる。種々の実施形態において、比率Ｒｘ／Ｒｙの絶対値は０より大きい。さらに、いくつかの実施形態において、後面は０、０．１、０．２、０．２５、若しくは０．５〜１００、又はこれらの値の任意の組合せの任意の範囲（例えば、０〜１００、０．１〜１００、０．５〜１００、０〜７５、０．１〜７５、０．５〜７５、０〜５０、０．１〜５０、０．５〜５０、０〜２５、０．１〜２５、０．５〜２５、０〜１０、０．１〜１０、若しくは０．５〜１０、又はこれらの値の任意の組合せの任意の範囲）である比率Ｋｘ／Ｋｙの絶対値を有することができる。種々の実施形態において、比率Ｋｘ／Ｋｙの絶対値は０より大きい。
【０１００】
いくつかの実施形態では、後面の形状は、前面の形状に関連し得る。いくつかのそのような実施形態では、後面は、（高次関数あり又はなしで）双円錐項を含む形状を有することができる。前面は、（高次関数あり又はなしで）円錐項を含む形状を有することができる。前面と後面との関係は、非線形であり得る。様々な実施形態では、後面のＲｘ、Ｒｙ、ｋｘ、ｋｙと前面の円錐定数ｋとの間にパターンが存在し得る。例として、比率Ｒｘ／Ｒｙの絶対値を本明細書に記載するようにすることができ、ｋｘ／ｋｙの絶対値を本明細書に記載するようにすることができ、前面の円錐定数ｋを−２×１０４未満とすることができ、＜＜２×１０４の場合もある。例えば、前面の円錐定数ｋは、−９×１０５〜−１×１０６、−８×１０５〜−１×１０６、−７×１０５〜−１×１０６、−６×１０５〜−１×１０６、または−５×１０５〜−１×１０６とすることができる。
【０１０１】
本明細書に記載の様々な実施形態において、レンズは、球面ベースに、例えば＋１．０Ｄ円柱度数以上の比較的大きい円柱面の矯正を付加して、比較的低い球面屈折力構成からゼロ球面屈折力構成で使用され、加齢による眼の収差又は白内障手術による乱視が所定の患者のクオリティ・オブ・ライフに悪影響を及ぼし得る場合、その患者に、より良好な網膜像特性を与えることができる。例として、低い球面屈折力構成からゼロ球面屈折力構成とは、球面ベースに、＋１．０Ｄ〜＋１０Ｄ円柱度数、又はこれらの値の任意の範囲（例えば、＋１．０Ｄ〜＋２．０Ｄ円柱度数、＋２．０Ｄ〜＋３．０Ｄ円柱度数、＋３．０Ｄ〜＋４．０Ｄ円柱度数、＋４．０ Ｄ〜＋５．０Ｄ円柱度数、＋５．０Ｄ〜＋６Ｄ円柱度数、＋６．０Ｄ〜＋７．０Ｄ円柱度数、＋７．０Ｄ〜＋８．０Ｄ円柱度数、＋８．０Ｄ〜＋９．０Ｄ円柱度数、若しくは＋９．０Ｄ〜＋１０．０Ｄ円柱度数、又はこれらの値の任意の組合せの任意の範囲）を付加した、０、０．１、０．２、０．２５、若しくは０．５〜３Ｄ球面度数、１〜３Ｄ球面度数、２〜５Ｄ球面度数、又は３〜６Ｄ球面度数、を含むことができる。いくつかの実施形態では、球面／円柱面の比率は、０、０．１、０．２、０．２５、若しくは０．５〜６、又はこれらの値の任意の組合せの任意の範囲（例えば、０〜１、０．２５〜１、０〜２、０．２５〜２、０〜３、０．２５〜３、０〜４、０．２５〜４、０〜５、０．２５〜５、０〜６、０．２５〜６、１〜６、若しくは２〜６、またはこれらの値の任意の組合せの任意の範囲）であるとよい。
【０１０２】
上述の所定の公称屈折力を有するレンズの例示的設計パラメータＲ、ｋ、ａ２、ａ４、ａ６、及びａ８は前面に与えられ、例示の設計パラメータＲｙ、ｋｙ、Ｒｘ、及びｋｘ、比率Ｒｘ／Ｒｙ、並びに比率Ｋｘ／Ｋｙは後面に与えられるが、Ｒ、ｋ、ａ２、ａ４、ａ６、及びａ８の値の範囲は後面に用いられ得、Ｒｙ、ｋｙ、Ｒｘ、ｋｘ、比率Ｒｘ／Ｒｙ、及び比率Ｋｘ／Ｋｙの値の範囲は前面に用いられ得る。さらに、前面は高次非球面摂動項（例としてａ２、ａ４、ａ６、及びａ８）を含むものの、高次非球面摂動項（例としてａ２、ａ４、ａ６、及びａ８）は、前面ではなく後面、又は前面と後面との両方に、用いられ得る。これらの範囲における任意の１以上の値がこれらの設計のいずれかに用いられ得る。
【０１０３】
さらに、本明細書に記載されるように、被写界深度を拡大させて視力を上げるために、種々の実施形態の特定の形状を設計することができる。図６Ａに示されるように、被写界深度は、焦点が合っているように見える、物体空間における対象の前方の距離及び対象の遠方の距離として表されることができる。焦点深度は、イメージの焦点が合っているイメージ空間においてレンズの背後にどれだけの距離があるかの範囲として示され得る。被写界深度を拡大させるため、光学部２０１の前面２０１ａの表面形状及び／又は後面２０１ｂの表面形状は、広範囲の物体のバージェンスに対して、光線の焦点が網膜に合う、又は網膜に十分に近接するように構成されることができる。また、視力を上げてゴーストを低減するために、光学部２０１の前面２０１ａの表面形状及び／又は後面２０１ｂの表面形状は、軸上物体のイメージが実質的に軸上にあり、互いに類似する大きさであるように構成されることができる。
【０１０４】
そうした所定の実施形態において、イメージ焦線は約０〜約２．５ジオプトリ以上のバージェンス範囲に対して形成されることができるが、この範囲はより大きくても小さくてもよい。図６Ｂに示されるように、いくつかの実施形態において、イメージ焦線は、格子光線によって生成される包絡線として示され得、錯乱円は、点光源をイメージングするときに完全には焦点が合わないレンズからの円錐光線によって生じる光学スポットとして示され得る。このように、錯乱円が、光軸に沿う長手位置範囲で類似するサイズを有して実質的に安定するとともに、比較的小さくなるように、イメージ焦線は形成され得る。この設計では、光軸に沿う一部の長手位置で錯乱円のサイズを犠牲にして、その他の長手位置で錯乱円をより大きくすることで、光軸に沿う長手位置範囲で類似サイズの錯乱円を提供するという結果を得る。
【０１０５】
所定の実施形態において、前面２０１ａの表面形状及び／又は後面２０１ｂの表面形状は、イメージ焦線が眼の過焦点平面あたりに形成されるように決定され得る。いくつかの実施形態において、過焦点距離は、許容可能な最大錯乱円を無限遠に配置する焦点距離、又は最大被写界深度を生じる焦点距離として表されることができる。ゆえに、所定の実施形態において、被写界深度を拡大させるために、光学部２０１の前面２０１ａの表面形状及び／又は後面２０１ｂの表面形状は、過焦点距離に光線の焦点が合うように構成され得る。
【０１０６】
種々の実施形態において、光学部２０１の前面２０１ａの表面形状及び／又は後面２０１ｂの表面形状は、レンズのデフォーカス曲線を用いて評価及び設計されることができる。デフォーカス曲線は、種々のバージェンスの関数として、コントラストなどの網膜像特性パラメータの反応を表すことができる。無限遠の物体は０ジオプトリのバージェンスを有する。図６Ｃは標準球面レンズと理想的な過焦点眼とのデフォーカス曲線を示す。図に示すように、コントラストは低下し得る（曲線領域の維持のため）が、理想的な過焦点眼は、バージェンス範囲において安定的又は実質的に安定的な（例えば同様の、又は実質的に一定である）コントラストを有する。
【０１０７】
所定の実施形態において、光学部２０１の前面２０１ａの表面形状及び／又は後面２０１ｂの表面形状は、最高矯正遠見視力（BestCorrected Distance Visual Acuity、ＢＣＤＶＡ）条件下などで、Ｌｉｏｕ−Ｂｒｅｎｎａｎ模型眼を用いて評価及び／又は設計されることができる。図６Ｄでは、Ｌｉｏｕ−Ｂｒｅｎｎａｎ模型眼を用いてモデル化された、本明細書に記載の所定の実施形態による例示の有水晶体レンズの概略図が示される。図６Ｄに示されるように、レンズ２００は模型の虹彩５１５と「天然」水晶体５２０の前方との間に配置されることができる。また図６Ｄに示されるように、模型は、角膜５１０、レンズ２００、及び「天然」水晶体５２０を介して網膜５３０に向かって眼５００に進入する光線をシミュレートすることができる。模型は、約４００ナノメートル〜約７００ナノメートルの範囲の多色波長に使用することができる。また模型は、（例えば乱視をモデル化するために）デュアル屈折率分布型レンズプロファイルと共に用いられることもできる。本明細書に記載の所定の実施形態による偽水晶体レンズも、「天然」水晶体５２０に代えて配置されたレンズを備えたＬｉｏｕ−Ｂｒｅｎｎａｎ模型眼を用いてモデル化可能である。
【０１０８】
当該技術において既知であるか又はまだ開発されていないその他の模型も用いられ得る。例として、光学部２０１の前面２０１ａの表面形状及び／又は後面２０１ｂの表面形状は、Ｂａｄａｌ模型眼、アリゾナ模型眼（アリゾナ大学模型）、インディアナ模型眼（インディアナ大学模型）、ＩＳＯ模型眼、又は任意の規格化模型眼若しくは同等の模型眼を用いて評価及び／又は設計されることができる。さらに、当該技術において既知であるか又はまだ開発されていない光線追跡法及び／又は設計ソフトウエアを用いて、シミュレーションを行うことができる。ソフトウエアの一例として、ワシントン州レッドモンドのＺｅｍａｘ社によるＺｅｍａｘデザインソフトウエアが一部の実施形態に使用され得る。環境における物理的制限、例えば天然レンズ前方のＩＯＬ配置は、有水晶体レンズ設計のシミュレーションを行うために有用である。そうしたシミュレーションでは、複数バージェンスについての性能（例えば、全瞳孔のＲＭＳ波面誤差）を共に評価可能であり、最適化されたメリット関数における様々なバージェンスの寄与を含むことができる。このように複数波面が共に評価されて、光軸に沿う位置範囲において実質的に類似のサイズの錯乱円が得られる均衡のとれた設計が行われる。様々なバージェンスについて変化する瞳孔サイズも採用され得る。
【０１０９】
所定の実施形態において、光学部２０１の前面２０１ａの表面形状及び／又は後面２０１ｂの表面形状は、軸上の物体からの光が可視波長について実質的に類似する大きさで、実質的に約０ジオプトリ〜約２．５ジオプトリの範囲内で網膜に、実質的に軸上に焦点を合わせるように、有利に評価及び設計されることができる。網膜に近接する光軸に沿う種々の長手位置の焦線について実質的に類似するサイズの断面を得るために（例えば数２の高次非球面項に相関し得る）球面収差の種々の次数をコントロールして、乱視のある患者の処置に必要とされるときにはトーリックバランス及び矯正（例えば数３の双円錐項）を含むことで、レンズ２００の放射パワープロファイルは、
【数６】
2019507663.tif 000008
として与えられ得、ａ、ｂ、ｃ、ｄ、及びｅは実数である。さらに、種々の実施形態において、光学部２０１の前面２０１ａの表面形状及び／又は後面２０１ｂの表面形状は、スタイルズ‐クロフォード効果に対応するように評価及び設計されることができる。またさらに、表面形状は、照明及び／又は物体のバージェンスで変化する瞳孔サイズを考慮して設計されることができる。
【０１１０】
本明細書に記載の特定の実施形態では、設計パラメータ（例えば、後面のＲｙ、ｋｙ、Ｒｘ、ｋｘ、比率Ｒｘ／Ｒｙ及び比率ｋｘ／ｋｙ、並びに／又は前面のＲ、ｋ、ａ２、ａ４、ａ６、及びａ８）を、所望のトーリック矯正のための最大開口に対して決定することができる。例えば、４．０ｍｍの最大開口について比較的安定した焦線を有するトーリック矯正は、３．０ｍｍ又は５．０ｍｍの最大開口について比較的安定した焦線を有するトーリック矯正とは異なり得る。
【０１１１】
レンズ２００の性能を示すために、変調伝達関数（ＭＴＦ）がいくつかのの実施形態において用いられることができる。例として、ＭＴＦは、物体からイメージへ特定の解像度でコントラストを伝達するレンズ２００の能力を示すことができる。レンズ２００の種々の実施形態において、前面２０１ａと後面２０１ｂとは、光学部２０１が眼に挿入されるとき、少なくとも約０ジオプトリ〜約２．０、２．１、２．２、２．３、２．４、若しくは２．５ジオプトリ（又は〜約２．６、２．７、２．８、２．９、３．０）の範囲の物体のバージェンスの少なくとも約９０％、少なくとも約９５％、少なくとも約９７％、少なくとも約９８％、又は少なくとも約９９％に、約１００本ペア／ミリメートルの空間周波数で約０．１〜約０．４である（例えば２０／２０視力）、（明所視、暗所視、及び／又は薄明視分布によって重み付けされた）約４００ナノメートル〜約７００ナノメートル範囲の波長のＭＴＦ値を与えるように成形されることができる。例として、眼とは、例えば２〜６ミリメートル、３〜６ミリメートル、又は４〜６ミリメートルなど、少なくとも約２ミリメートル、少なくとも約３ミリメートル、少なくとも約４ミリメートルの開口径を有するヒトの眼であるとよい。このように、ＭＴＦ値は０．１、０．２、０．３、若しくは０．４、又はそれらの間の任意の範囲であるとよい。さらに、種々の適用において、光学部が、２〜６ミリメートル、３〜６ミリメートル、又は４〜６ミリメートルの開口サイズを有する模型眼に挿入されるとき、前面と後面とは、０Ｄ〜２．５Ｄ（又は代替的に２．０、２．１、２．２、２．３、２．４、２．６、２．７、２．８、２．９、若しくは３．０ジオプトリ）の範囲内の物体のバージェンスの少なくとも９０％、９５％、又は９７％から、９８％、９９％、若しくは１００％に、位相反転なく変調伝達関数を与えるように成形される。いくつかの実施形態において、ヒトの眼が水晶体を含む場合、そうしたＭＴＦ値は、光学部２０１が水晶体前方に挿入されるときに与えられ得る。その他の実施形態において、ヒトの眼が水晶体を含まない場合、そうしたＭＴＦ値は、光学部２０１が水晶体に代えて挿入されるときに与えられ得る。ＭＴＦ値は平均ＭＴＦ値を含み得、明所視、暗所視、薄明視分布のいずれか又はそれらの組合せによって重み付けされた波長範囲に積分して算出されるとよい。
【０１１２】
他の実施例として、眼を、ヒトの眼自体とは対照的にヒトの眼をモデル化した模型眼（例えばＬｉｏｕ−Ｂｒｅｎｎａｎ、Ｂａｄａｌ、アリゾナ、インディアナ、ＩＳＯ模型眼、又は任意の規格化模型眼若しくは同等の模型眼）とすることもできる。例として、いくつかの実施形態における模型眼はＬｉｏｕ−Ｂｒｅｎｎａｎ模型眼をも含み得る。いくつかの実施形態において、光学部２０１が有水晶体構造の模型眼に挿入されるとき、そうしたＭＴＦ値が与えられることができる。その他の実施形態において、光学部２０１が偽水晶体構造に挿入されるとき、そうしたＭＴＦ値が与えられることができる。
【０１１３】
また、レンズ２００の性能を示す他のメトリックも使用することができる。例として、サルバドール画質（ＳＩＱ）メトリックなどの正規化ＭＴＦメトリックを使用することができる。サルバドール画質メトリックは、
【数７】
2019507663.tif 000009
として与えられる。
【０１１４】
ＭＴＦ曲線下領域は、ゼロから、所与のプロットの最初に現れる１００サイクル／ｍｍの空間周波数ζ又はカットオフ周波数のいずれかまでの、所与のＭＴＦ曲線の正の領域であり得る。「標準眼」は、正規化のための模型眼（例えば、拡張した直径６．０ｍｍの瞳孔を有するＬｉｏｕ−Ｂｒｅｎｎａｎ模型眼）を含むことができる。目的の眼のＭＴＦは、（例えば、６．０ｍｍの拡張瞳孔で）所与の波長での所定の患者の眼の測定ＭＴＦであり得る。これは、基準ベースラインと同じ画角で測定し比較することができる。非回転対称眼球系の場合、サジタルＳＩＱ及びタンジェンシャルＳＩＱの結果を平均することができる。サジタルＳＩＱはＸＺ平面のＭＴＦから計算できる一方で、タンジェンシャルＳＩＱはＹＺ平面のＭＴＦから計算できる。
【０１１５】
種々の実施形態において、
ＳＩＱ≧１、「戦闘機のパイロット」、
ＳＩＱ≒１、「正常視眼」、
ＳＩＱ＜１、屈折異常あり
ＳＩＱ＜＜１、低視力の患者、である。
【０１１６】
本明細書に記載の所定の実施形態において、矯正が施されるひとの４〜６ミリメートル（例えば、４ｍｍ、５ｍｍ、又は６ｍｍ）の開口サイズを有するヒトの眼に光学部を挿入するとき、前面と後面とは、０Ｄ〜＋１．５Ｄ、０Ｄ〜＋２．０Ｄ、又は０Ｄ〜＋２．５Ｄの範囲内の物体のバージェンスの少なくとも９０％、９５％、又は９７％から、９８％、又は１００％に、少なくとも０．６、０．７、０．８、０．９、又は１のＳＩＱメトリックを与えるように成形されることができる。
【０１１７】
他の実施例として、レンズの性能を表すために、精神物理学的グレード（例えばイメージングサイエンスにおける標準的な精神物理学的測定法）を用いることができる。本明細書に記載の所定の実施形態において、矯正が施されるひとの４〜６ミリメートルの開口サイズを有するヒトの眼に（又は矯正が施されるひとと同様の視力を有する４〜６ミリメートルの開口サイズを有する模型眼に）光学部を挿入するとき、前面と後面とは、０〜＋１．５Ｄ、０〜＋２．０Ｄ、又は０〜＋２．５Ｄの範囲内の物体のバージェンスの少なくとも９０％、９５％、又は９７％から、９８％、又は１００％に、平均を超える精神物理学的グレード（例えば、「良好」又は良い）を与えるように成形することができる。平均を超える精神物理学的グレードより低い任意のグレードにより、レンズ性能の近視性境界（ｍｙｏｐｉｃ  ｅｄｇｅ）が定められる。近視性境界は、レンズの延長被写界深度（例えば＋１．５Ｄ、＋２．０Ｄ、又は＋２．５Ｄ）によって与えられる近見視力の限界であり得る。
【０１１８】
本明細書に記載の様々な適用には、例えば角膜の後方など、眼にインプラントされることができる単屈折レンズが含まれる。所定の適用において、屈折レンズは、虹彩と天然レンズとの間にインプラントされるように構成される。他の適用において、屈折レンズは、天然レンズを取り除いた後に水晶体嚢内にインプラントされるように構成される。様々な適用において、屈折レンズは回折レンズではなく、その表面に回折格子がない。様々な適用において、屈折レンズは離散的に離間した焦点を有しない。前面と後面とは、例えば、従来の多焦点レンズのように、光の焦点が実質的にあまり合わない領域で互いに隔てられたレンズの光軸に沿って光の焦点が合う離散的焦点を生成しないように、成形される。離散的焦点を伴うそうした多焦点設計には、光軸の様々な位置で焦点エネルギー又はエネルギー密度の複数のピークがある。
【０１１９】
本明細書に記載の様々な適用により、レーザー手術又は老眼鏡を必要とすることなく老視の初期発症及び進行の処置を行うことができる。適用において、約２．０Ｄの近方視及び中間方視が与えられ得る。５．０ｍｍ開口に対して２Ｄを超える範囲の被写界深度が得られ得る。
【０１２０】
単眼視野の改変解決手法を提供するために、種々の実施形態が用いられ得る。例えば、０〜２．０Ｄ又は０〜２．５Ｄを超える物体のバージェンスに延長焦点深度を有するように第１のレンズが提供され、−２．０〜０Ｄ又は−２．５〜０Ｄを超える物体のバージェンスに延長焦点深度を有するように第２のレンズが提供される。これらの各レンズは、患者の利き眼と非利き目とにそれぞれインプラントされることができる。すると患者には、右眼と左眼とのそれぞれで異なる延長被写界深度が与えられることができる。しかしながら、複合被写界深度は、第１又は第２レンズのうちの１つとともに与えられるものより広い。そうしたレンズの設計上の詳細はその他の点では上述のものと類似し得る。
【０１２１】
本明細書に記載のように、種々の実施形態に、延長被写界深度を有するレンズが包含される。例として、本明細書に記載のレンズ２００に関して（例えば図２〜４に示されるように）、レンズ２００は、被写界深度を拡大するように設計された形状を備えた前面２０１ａ及び／又は後面２０１ｂを有する光学部２０１を含むことができる。所定の実施形態において、光学部の前面及び／又は後面は、遠見視覚を改善（例えば遠見視力の向上）し、さらに延長被写界深度を与えるように設計された部分をも包含し得る。
【０１２２】
図７Ａ〜７Ｂは、そうした光学部の例示の前面及び／又は後面の概略図である。前面と後面とには表面頂点があり得る。光学部は表面頂点を通過する光軸を有することができる。例示の光学部７００の前面及び／又は後面は第１部分７０１と第２部分７０２とを有する表面を含むことができる。第１部分７０１は延長被写界深度を与えるように構成され、第２部分７０２は単焦点距離矯正及び焦点調節を行うように構成されることができる。図６Ｃに示すデフォーカス曲線を参照すると、第１部分７０１は、「理想的」過焦点デフォーカス曲線のものと形状が類似するデフォーカス曲線を有し、第２部分７０２は、標準球面（単焦点）レンズのものと形状が類似するデフォーカス曲線を有することができる。ゆえに、第１部分７０１は延長被写界深度を与えるように構成され、第２部分７０２は遠見視覚又は遠見視力を向上させるように構成されることができる。例として、延長被写界深度を与えるように構成された第１部分７０１は、焦点範囲にわたって（例えば遠方又は遠距離、中間方、近方）、第２部分７０２にほぼ等しい視力、又は少なくともそれを超える視力を与え、一方で第２部分７０２は、第１部分７０１と比較して遠距離において視力特性メトリックを向上させることができる。向上された視力特性メトリックは、遠く（例えば０．０Ｄ又はほぼ０．０Ｄ）の物体の性能指数であり得る。無限遠と２メートルとの間（例えば、無限遠〜２メートル、無限遠〜３メートル、無限遠〜４メートル、無限遠〜５メートル、無限遠〜６メートル、無限遠〜７メートル、無限遠〜８メートル、無限遠〜９メートル、無限遠〜１０メートル、又はこれらの範囲のいずれかの任意の範囲）の物体が遠距離にあると考えられる。性能指数は変調伝達関数（ＭＴＦ）、コントラスト感度（ＣＳ）、コントラスト、それらから派生する指標、又はそれらの組合せであり得る。その他のメトリックも、（レンズのベースパワー又はラベルパワーと対応する）遠距離焦点又は遠くの物体のイメージの質を評価するために用いられ得る。いくつかの態様において、向上された視力特性メトリックは、第１部分７０１よりも第２部分７０２について値がより高いものであり得る。
【０１２３】
図７Ｂは、第２部分７０２を通過する光線が遠見視覚焦点においてどのように焦点に合うかを示す（０として分類）。（上述のように、この遠見視覚焦点はレンズのベースパワー、ラベルパワー、又は距離パワーに対応する。）一方で、第１部分７０１を通過する光線は、遠（０）、中間（１）、又は近（２）平面における単一の鮮鋭な焦点とは対照的に、遠（０）、中間（１）、及び近（２）焦点によってほぼ一定直径の焦線を形成して、延長被写界深度が与えられる。
【０１２４】
図７Ａ〜図７Ｂに示されるように、第１部分７０１は光学部７００内に中心に配置されることができる。いくつかの場合には、第１部分は光軸を中心に配置される。第１部分７０１は、約２．５〜４．５ｍｍの範囲（例えば、２．５ｍｍ、２．７５ｍｍ、３．０ｍｍ、３．２５ｍｍ、３．５ｍｍ、３．７５ｍｍ、４．０ｍｍ、４．２５ｍｍ、４．５ｍｍ、又は任意のそれらのサイズの任意の範囲）の最大断面径を有することができる。より大きい又は小さいサイズもまた用いられ得る。第１部分７０１は、延長被写界深度を与えるように、光学部２０１に関して本明細書に記載されるような表面プロファイルを有することができる。例えば、第１部分７０１には、延長被写界深度を与えるように球面収差が導入されることができる。そうしたいくつかの実施例において、本明細書に記載されるように、第１部分７０１は、光軸からの半径距離の非球面高次関数を含む包絡線からの摂動でオフセットされる円錐又は双円錐包絡線を含む形状を有することができる。数２は、円錐項及び偶数乗多項式項を用いた例の形状を与える。他の例や組合せも可能である。例として、第１部分７０１は、双非球面包絡線を含む形状を有することができる。双非球面包絡線は、２直交方向に２つの非球面断面を含むことができる。いくつかの態様において、双非球面包絡線は、光軸からの半径距離の非球面高次関数を含む摂動でオフセットされることができる。
【０１２５】
第２部分７０２は第１部分７０１を包囲し得る。第２部分７０２は第１部分７０１から光学部７００の端部に延びることができる。ゆえに、いくつかの実施例において、第２部分７０２の幅は第１部分７０１の外周部と光学部７００の端部との距離であり得る。例として、第２部分７０２は、約１．０〜３．５ｍｍの範囲（例えば１．０ｍｍ、１．２５ｍｍ、１．５ｍｍ、１．７５ｍｍ、２．０ｍｍ、２．２５ｍｍ、２．５ｍｍ、２．７５ｍｍ、３．０ｍｍ、３．２５ｍｍ、３．５ｍｍ、又は任意のこれらのサイズの任意の範囲）の幅（例えば内径と外径との距離）を有し得る。これらの範囲外のサイズもまた可能である。
【０１２６】
第２部分７０２は、第１部分７０１と異なる表面プロファイルを有してもよい。第１部分７０１は、延長被写界深度を与えるように第２部分７０２よりも高く球面収差を制御することができる。いくつかの場合において、第２部分７０２は実質的に球面収差を制御しないか、又は少なくとも延長焦点深度を与える収差を制御しなくてもよい。例として、第２部分７０２は、光軸からの半径距離の非球面高次関数を含む摂動でオフセットされない円錐、双円錐、又は双非球面包絡線を含む形状を有し得る。いくつかの場合において、第２部分は球形状を有し得る。
【０１２７】
第２部分７０２は、システムの周辺光線をより大きく制御可能であり、第２部分を通過して伝播する光線が高い割合で網膜に焦点を合わせて、無限遠など遠距離の物体について、他のメトリックにより測定されるように、第１部分と比較してコントラストを増大させるか、又は視覚特性を向上させることができる（例えば、約＋６〜−１８Ｄの距離パワー又はラベルパワー）。このため、遠距離において、より明確な焦点（場合によっては遠距離物体では遠距離平面におけるより小さいスポット）が可能になり、さらに第１部分７０１により与えられる延長被写界深度を得る。このように、第２部分７０２は、応答性遠見視覚特性を向上させ、遠距離物体の焦点合わせを向上させ得る。この遠見視覚の向上は、例えばコントラスト感度（ＣＳ）など脳が好む「正の」メトリックの増大として患者に知覚され得る。
【０１２８】
さらに、第１部分７０１が延長被写界深度を与えるように構成されると、焦点範囲にわたって（又は物体距離の範囲に）、第２部分７０２とほぼ等しい視力若しくは視覚、又は少なくともそれより高い視力若しくは視覚を提供可能である。遠、中、及び近点における、スポットサイズ、レンズの波面、及び特性（例えばＭＴＦ又はＣＳなどの性能指数によって測定されるようなもの）は実質的に類似する。しかしながら、この構成では標準的計測法を用いたレンズパワーの評価に困難があり得る。従来のガウス分布測定方法を用いた患者の術後の臨床評価も困難が伴い得る。任意数の焦点が有効なベースパワーとして分類及び認識される（例えば距離又はラベルパワー）。所定の実施形態において、周辺光線の環を遠距離焦点位置に方向づける第２部分７０２により、距離パワーにさらに密接に対応する反復可能な測定が行われ得る。同様に、第２部分７０２は、インプラント又は非インプラントレンズにおける従来のベースパワーの測定に有用であり得、また業界標準の測定方法を用いてレンズパワーを正確に測定する能力について有用であり得る。このように、本発明に記載の所定の実施形態により、負のパワー、正のパワー、トーリック、又はそれらの任意の組合せを含むがこれらに限定されない、延長被写界深度を備えたレンズの標準的測定を可能にする。
【０１２９】
本明細書に記載の種々の実施形態において、第１部分７０１は、インプラントされた眼の射出瞳近傍の点のそれぞれで全波面のバランスをとるために、球面収差の種々の次数の使用、及び円錐、双円錐、又は双非球面ベースカーブの使用を可能にし得、第２部分７０２は、遠見視覚の向上及び／又は単焦点距離焦点調節と、標準測定法の使用とを可能にし得る。
【０１３０】
種々の実施形態において、光学部７００の前面及び／又は後面はその他の部分を含むことができる。例として、光学部７００の前面及び／又は後面は、第１部分７０１と第２部分７０２との間で不連続性のない滑らかな移行をおこなう移行部分（図示せず）をさらに包含し得る。移行部分はまた、さらなる波面最適化を可能にし得る。いくつかの実施形態において、移行部分は、約０．１〜１ｍｍ範囲（例えば０ｍｍ、０．１ｍｍ、０．２ｍｍ、０．３ｍｍ、０．４ｍｍ、０．５ｍｍ、０．６ｍｍ、０．７ｍｍ、０．８ｍｍ、０．９ｍｍ、１．０ｍｍ、又は任意のこれらのサイズの任意の範囲）の幅（例えば内径と外径との距離）を有し得る。これらの範囲外の値も用いられ得る。いくつかの態様において、第１部分７０１と第２部分７０２との曲率の移行は十分に滑らかなものであり得、移行領域は望まれない。
【０１３１】
図８Ａ〜図８Ｂは、延長被写界深度を与えるように構成された第１部分と、遠見視力を向上させるように構成された第２部分とを有する光学部の他の例示の前面及び／又は後面の概略図である。この例において、光学部７００の前面及び／又は後面は、図７Ａ〜図７Ｂのように第１部分７０１と第２部分７０２とを包含し得る。図８Ａ〜図８Ｂに示されるように、光学部７００の前面及び／又は後面はまた、第２部分７０２を包囲する第３部分７０３を包含し得る。いくつかのそうした実施形態において、第１部分７０１は、約２．５〜４．５ｍｍの範囲（例えば、２．５ｍｍ、２．７５ｍｍ、３．０ｍｍ、３．２５ｍｍ、３．５ｍｍ、３．７５ｍｍ、４．０ｍｍ、４．２５ｍｍ、４．５ｍｍ、又はこれらの任意のサイズの任意の範囲）の最大断面径を有し得る。第２部分７０２は、約０．２５〜１．５ｍｍ範囲（例えば、０．２５ｍｍ、０．５ｍｍ、０．７５ｍｍ、１．０ｍｍ、１．２５ｍｍ、１．５ｍｍ、又はこれらの任意のサイズの任意の範囲）の、内径と外径と間の幅を有する環形として示され得る。さらに、第３部分７０３が、第２部分７０２から光学部７００の端部に延び得る。ゆえに、いくつかの実施形態において、第３部分７０３の幅は第２部分７０２の外周部と光学部７００の端部との間の距離であり得る。例として、第３部分７０３は、約０．５〜３．５ｍｍの範囲（例えば０．５ｍｍ、０．７５ｍｍ、１．０ｍｍ、１．２５ｍｍ、１．５ｍｍ、１．７５ｍｍ、２．０ｍｍ、２．２５ｍｍ、２．５ｍｍ、２．７５ｍｍ、３．０ｍｍ、３．５ｍｍ、又は任意のこれらのサイズの任意の範囲）の幅（例えば内径と外径との距離）を有し得る。これらの範囲外の値もまた用いられ得る。
【０１３２】
図８Ｂは、第２部分７０２を通過する光線が遠見視覚焦点においてどのように焦点に合うかを示す（０として分類）。一方で、第１部分７０１と第３部分７０３とを通過する光線は、遠（０）、中間（１）、及び近（２）焦点を通って連続的に焦点を合わせることで、延長被写界深度が与えられる。上述のように、第１部分７０１と第３部分７０３とを通過する光線は、遠（０）、中間（１）、及び近（２）平面において、ほぼ一定の断面又はビーム直径を有する焦線を形成する。しかしながら、このビーム直径は、第２部分７０２のみを介して伝播する光線により形成された遠方イメージ平面（０）における焦点スポットサイズより大きい可能性があり得る。
【０１３３】
第３部分７０３は、第２部分７０２と異なる表面プロファイルを有し得る。例として、第３部分７０３は、第２部分７０２よりも、延長被写界深度を与えるように高く球面収差を制御をすることができる。いくつかの実施例において、第３部分７０３は、光軸からの半径距離の非球面高次関数を含む摂動でオフセットされた円錐、双円錐、又は双非球面包絡線を含む形状を有することができる。
【０１３４】
いくつかの実施形態において、第３部分７０３は、第１部分７０１と類似の表面プロファイル及び／又は実質的に同様の球面収差の制御を有し得る。例として、第３部分７０３は、第１部分と同様である、光軸からの半径距離の非球面高次関数を含む包絡線に関する摂動でオフセットされた円錐、双円錐、又は双非球面包絡線を実質的に有し得る。
【０１３５】
本明細書に記載されるように、第１部分７０１及び／又は第３部分７０３は、光軸からの半径距離の非球面高次関数を含む摂動でオフセットされた円錐、双円錐、双非球面包絡線を含む形状を有し得る。種々の実施形態において、非球面高次関数は、少なくとも１つの偶数次項ａ２ｎｒ２ｎを含み得、ｎは整数、ａ２ｎは係数、ｒは光軸からの半径距離である。例として、非球面高次関数は２次項ａ２ｒ２を含み得、ａ２は係数、ｒは光軸からの半径距離である。非球面高次関数は４次項ａ４ｒ４を含み得、ａ４は係数、ｒは光軸からの半径距離である。非球面高次関数は６次項ａ６ｒ６も含み得、ａ６は係数、ｒは光軸からの半径距離である。さらに、非球面高次関数は８次項ａ８ｒ８をさらに含み得、ａ８は係数、ｒは光軸からの半径距離である。非球面高次関数は、これらの高次項、及び場合によりさらなる項の、任意の組合せを含み得る。
【０１３６】
種々の実施形態において、光学部７００の前面及び／又は後面は、第２部分７０２と第３部分７０３との間で不連続性のない滑らかな移行をおこなう移行部分（図示せず）をさらに包含し得る。移行部分はまた、さらなる波面最適化を可能にし得る。いくつかの実施形態において、移行部分は、約０〜１ｍｍ範囲（例えば０ｍｍ、０．１ｍｍ、０．２ｍｍ、０．３ｍｍ、０．４ｍｍ、０．５ｍｍ、０．６ｍｍ、０．７ｍｍ、０．８ｍｍ、０．９ｍｍ、１．０ｍｍ、又は任意のこれらのサイズの任意の範囲）の幅（例えば内径と外径との距離）を有し得る。これらの範囲外の寸法も用いられ得る。いくつかの態様において、第２部分７０２と第３部分７０３との曲率の移行は十分に滑らかなものであり得、移行領域は望まれない。
【０１３７】
いくつかの実施形態において、第２部分７０２の焦線は、第１部分７０１の焦線及び／又は第３部分７０３の焦線と滑らかに融合するように（又はより滑らかに移行するように）形成され得る。例として、図８Ｂに示されるように、第２部分７０２の下方焦線包絡線は、第３部分７０３の下方焦線包絡線と滑らかに融合しないことがあり得る（例えば、焦線交差部近傍の不連続性を参照）。ゆえに、いくつかの実施形態において、より滑らかに焦線を移行するために、第２部分７０２の円錐、双円錐、又は双非球面包絡線の円錐定数が、第１部分７０１の焦線及び／又は第３部分７０３の焦線とより滑らかに融合するように（例えば、第１部分７０１の光線包絡線とより緊密に適合する及び／又は第３部分７０３の光線包絡線とより緊密に適合するように）与えられ得る。例として、いくつかの実施形態において、第２部分７０２は、第２部分７０２の焦線が第１部分７０１の焦線と滑らかに、例えば第２部分が球面を含む場合よりも滑らかに融合するように、円錐定数を有し得る。さらに、いくつかの実施形態において、第２部分７０２は、第２部分７０２の焦線が第３部分７０３の焦線と滑らかに、例えば第２部分が球面を含む場合よりも滑らかに融合するように、円錐定数を有し得る。より滑らかな焦線移行を行うことにより、インプラントの外科的配置におけるわずかなずれが患者の視力において気づかれるような影響をあまり与えることはないということが考えられ得る。さらに、より滑らかな焦線移行により、ゴーストの重なりが低減される可能性があり得る。
【０１３８】
本明細書に記載の光学部２０１に関する種々の開示は図７Ａ〜図８Ｂの種々の実施形態にも適用され得る。例として、図７Ａ〜図８Ｂの所定の実施形態は本明細書に記載されるような有水晶体又は偽水晶体レンズインプラントに用いられ得る。有水晶体レンズインプラントに用いられる実施形態において、光学部７００は、約１００〜７００マイクロメートル、約１００〜約６００マイクロメートル、約１００〜約５００マイクロメートル、約１００〜約４００マイクロメートル、約１００〜約３００マイクロメートル、又は約１００〜約２００マイクロメートル（例えば、１００マイクロメートル、２００マイクロメートル、３００マイクロメートル、４００マイクロメートル、５００マイクロメートル、６００マイクロメートル、７００マイクロメートル、そうした範囲の任意の値、又はそうした値で構成される任意の範囲）の、光軸に沿う厚みを有し得る。偽水晶体レンズインプラントの実施形態において、光軸に沿う厚みは、約７００マイクロメートル〜約４ミリメートル、約７００マイクロメートル〜約３ミリメートル、約７００マイクロメートル〜約２ミリメートル、約７００マイクロメートル〜約１ミリメートル、そうした範囲の任意の値、又はそうした範囲の任意の値で構成される任意の範囲であり得る。他の実施例のように、図７Ａ〜図８Ｂの実施形態は、インプラントされたときに光学部７００を眼に付けるために光学７００に配置された少なくとも１つのハプティックを含むレンズに用いられ得る。さらにいくつかの態様において、第１部分７０１は光学部の前面にあり得、第２部分７０２は光学部の後面にあり得る。同様に、いくつかの態様において、第１部分７０１は光学部の後面にあり得、第２部分７０２は光学部の前面にあり得る。
【０１３９】
本明細書に用いられる「約」及び「実質的に」という用語は、記載の量と等しい量又は記載の量に近似する量（例えば、尚所望の機能を果たすか又は所望の結果を得られる量）を表す。例として、記載されていない限り、「約」及び「実質的に」という用語は、記載の量の１０％内（例えばそれより多い又は少ない）、５％内（例えばそれより多い又は少ない）、１％内（例えばそれより多い又は少ない）、０.１％内（例えばそれより多い又は少ない）、又は０．０１％内（例えばそれより多い又は少ない）の量に関し得る。
【０１４０】
本発明の種々の実施形態が本明細書に記載されている。本発明はこれらの特定の実施形態について記載されているが、該記載は本発明の例示を意図し、限定する目的ではない。当業者は、本発明の真の趣旨及び範囲から出ることなく種々の変形及び適用を行い得る。
【図１】
2019507663.tif 000010
【図２】
2019507663.tif 000011
【図３Ａ】
2019507663.tif 000012
【図３Ｂ】
2019507663.tif 000013
【図４】
2019507663.tif 000014
【図５Ａ】
2019507663.tif 000015
【図５Ｂ】
2019507663.tif 000016
【図６Ａ】
2019507663.tif 000017
【図６Ｂ】
2019507663.tif 000018
【図６Ｃ】
2019507663.tif 000019
【図６Ｄ】
2019507663.tif 000020
【図７Ａ】
2019507663.tif 000021
【図７Ｂ】
2019507663.tif 000022
【図８Ａ】
2019507663.tif 000023
【図８Ｂ】
2019507663.tif 000024
【国際調査報告】
2019507663.tif 000025
2019507663.tif 000026